(57)【特許請求の範囲】
【請求項１】
構築物が外部に具備する採光部の採光面に近接配置された複数の太陽光部材を有し、前記太陽光部材が、受光面で太陽光を受光することにより発電する太陽光発電装置において、
夏至の南中時における太陽の南方に対する仰角を夏至仰角θｓとし、冬至の南中時における太陽の南方に対する仰角を冬至仰角θｗとした場合であって、鉛直面の下方に対する前記採光部の採光面の傾き角度がαの場合に、
前記鉛直面の下方に対する受光面の傾き角度θ１を、前記θｓと前記αとの間の角度範囲で変更可能なように、前記受光面と一体となって回動可能に設けられた第１太陽光部材と、
前記鉛直面の下方に対する受光面の傾き角度θ２を、前記θｗと前記αとの間の角度範囲で変更可能なように、前記受光面と一体となって回動可能に設けられた第２太陽光部材と、
前記第１太陽光部材を回動する第１回動機構と、
前記第２太陽光部材を回動する第２回動機構と、を有し、
前記第１回動機構は、年間の各日に対して南中時を含む所定時間帯に亘り、前記傾き角度θ１を前記θｓに設定するとともに、年間の各日に対して日の出を含む所定時間帯に亘り、及び日の入りを含む所定時間帯に亘り、前記傾き角度θ１を前記αに設定し、
前記第２回動機構は、年間の各日に対して南中時を含む所定時間帯に亘り、前記傾き角度θ２を前記θｗに設定するとともに、年間の各日に対して日の出を含む所定時間帯に亘り、及び日の入りを含む所定時間帯に亘り、前記傾き角度θ２を前記αに設定することを特徴とする太陽光発電装置。
【請求項２】
構築物が外部に具備する採光部の採光面に近接配置された複数の太陽光部材を有し、前記太陽光部材が、受光面で太陽光を受光することにより発電する太陽光発電装置において、
夏至の南中時における太陽の南方に対する仰角を夏至仰角θｓとし、冬至の南中時における太陽の南方に対する仰角を冬至仰角θｗとした場合であって、鉛直面の下方に対する前記採光部の採光面の傾き角度がαの場合に、
前記鉛直面の下方に対する受光面の傾き角度θ１を、前記θｓと前記αとの間の角度範囲で変更可能なように、前記受光面と一体となって回動可能に設けられた第１太陽光部材と、
前記鉛直面の下方に対する受光面の傾き角度θ２を、前記θｗと前記αとの間の角度範囲で変更可能なように、前記受光面と一体となって回動可能に設けられた第２太陽光部材と、
前記第１太陽光部材を回動する第１回動機構と、
前記第２太陽光部材を回動する第２回動機構と、を有し、
前記鉛直面の下方に対する前記採光面の傾き角度αに関して、該採光面が前記鉛直面の下方と平行な状態を０°（α＝０°）と定義し、該採光面における上端位置よりも下端位置の方が、前記鉛直面の法線方向に沿う側方方向の外方に位置するような傾き状態を正値（α＞０）と定義した場合に、
前記傾き角度αは、前記夏至仰角θｓ−９０°よりも大きく前記冬至仰角θｗよりも小さい範囲（θｓ−９０°＜α＜θｗ）の任意の角度に設定されており、
前記第１太陽光部材の上端縁及び前記第２太陽光部材の上端縁は、前記採光面と平行な平面を位置決め用基準面として当該位置決め用基準面上に配置され、
前記第１太陽光部材の上端縁よりも下端縁の方が、前記位置決め用基準面の法線方向の外方に位置して設けられ、
前記第２太陽光部材の上端縁よりも下端縁の方が、前記位置決め用基準面の法線方向の外方に位置して設けられており、
前記第１太陽光部材は、前記位置決め用基準面上に上下方向に並んで複数設けられているとともに、複数の前記第１太陽光部材は、それぞれ、その上端縁にて前記位置決め用基準面上に連結されており、
上下方向に隣り合う前記第１太陽光部材同士のうちで、上側の第１太陽光部材の上端縁と下端縁との間の長さがＬ１である場合に、
下側の第１太陽光部材の上端縁は、前記上側の第１太陽光部材の上端縁の位置から前記位置決め用基準面に沿う方向の下方にＬ１／ｃｏｓ（θｓ−α）以上離れた位置に連結されていることを特徴とする太陽光発電装置。
【請求項３】
構築物が外部に具備する採光部の採光面に近接配置された複数の太陽光部材を有し、前記太陽光部材が、受光面で太陽光を受光することにより発電する太陽光発電装置において、
夏至の南中時における太陽の南方に対する仰角を夏至仰角θｓとし、冬至の南中時における太陽の南方に対する仰角を冬至仰角θｗとした場合であって、鉛直面の下方に対する前記採光部の採光面の傾き角度がαの場合に、
前記鉛直面の下方に対する受光面の傾き角度θ１を、前記θｓと前記αとの間の角度範囲で変更可能なように、前記受光面と一体となって回動可能に設けられた第１太陽光部材と、
前記鉛直面の下方に対する受光面の傾き角度θ２を、前記θｗと前記αとの間の角度範囲で変更可能なように、前記受光面と一体となって回動可能に設けられた第２太陽光部材と、
前記第１太陽光部材を回動する第１回動機構と、
前記第２太陽光部材を回動する第２回動機構と、を有し、
前記鉛直面の下方に対する前記採光面の傾き角度αに関して、該採光面が前記鉛直面の下方と平行な状態を０°（α＝０°）と定義し、該採光面における上端位置よりも下端位置の方が、前記鉛直面の法線方向に沿う側方方向の外方に位置するような傾き状態を正値（α＞０）と定義した場合に、
前記傾き角度αは、前記夏至仰角θｓ−９０°よりも大きく前記冬至仰角θｗよりも小さい範囲（θｓ−９０°＜α＜θｗ）の任意の角度に設定されており、
前記第１太陽光部材の上端縁及び前記第２太陽光部材の上端縁は、前記採光面と平行な平面を位置決め用基準面として当該位置決め用基準面上に配置され、
前記第１太陽光部材の上端縁よりも下端縁の方が、前記位置決め用基準面の法線方向の外方に位置して設けられ、
前記第２太陽光部材の上端縁よりも下端縁の方が、前記位置決め用基準面の法線方向の外方に位置して設けられており、
前記第２太陽光部材は、前記位置決め用基準面上に上下方向に並んで複数設けられているとともに、複数の前記第２太陽光部材は、それぞれ、その上端縁にて前記位置決め用基準面上に連結されており、
上下方向に隣り合う前記第２太陽光部材同士のうちで、上側の第２太陽光部材の上端縁と下端縁との間の長さがＬ２である場合に、
下側の第２太陽光部材の上端縁は、前記上側の第２太陽光部材の上端縁の位置から前記位置決め用基準面に沿う方向の下方にＬ２／ｃｏｓ（θｗ−α）以上離れた位置に連結されていることを特徴とする太陽光発電装置。
【請求項４】
請求項２又は３に記載の太陽光発電装置であって、
上下方向に隣り合う前記第１太陽光部材同士の間に、前記第２太陽光部材が配置されていることを特徴とする太陽光発電装置。
【請求項５】
構築物が外部に具備する採光部の採光面に近接配置された複数の太陽光部材を有し、前記太陽光部材が、受光面で太陽光を受光することにより発電する太陽光発電装置において、
夏至の南中時における太陽の南方に対する仰角を夏至仰角θｓとし、冬至の南中時における太陽の南方に対する仰角を冬至仰角θｗとした場合であって、鉛直面の下方に対する前記採光部の採光面の傾き角度がαの場合に、
前記鉛直面の下方に対する受光面の傾き角度θ１を、前記θｓと前記αとの間の角度範囲で変更可能なように、前記受光面と一体となって回動可能に設けられた第１太陽光部材と、
前記鉛直面の下方に対する受光面の傾き角度θ２を、前記θｗと前記αとの間の角度範囲で変更可能なように、前記受光面と一体となって回動可能に設けられた第２太陽光部材と、
前記第１太陽光部材を回動する第１回動機構と、
前記第２太陽光部材を回動する第２回動機構と、を有し、
前記鉛直面に対する前記採光面の傾き角度αに関して、該採光面が前記鉛直面と平行な状態を０°（α＝０°）と定義し、該採光面における上端位置よりも下端位置の方が、前記鉛直面の法線方向に沿う側方方向の外方に位置するような傾き状態を正値（α＞０）と定義した場合に、
前記傾き角度αは、前記夏至仰角θｓよりも大きく前記冬至仰角θｗ＋９０°よりも小さい範囲（θｓ＜α＜θｗ＋９０°）の任意の角度に設定されており、
前記第１太陽光部材の前記側方方向の外端縁及び前記第２太陽光部材の前記側方方向の外端縁は、前記採光面と平行な平面を位置決め用基準面として当該位置決め用基準面上に配置され、
前記第１太陽光部材の前記側方方向の外端縁よりも前記側方方向の内端縁の方が、前記採光面の法線方向の外方に位置して設けられ、
前記第２太陽光部材の前記側方方向の外端縁よりも前記側方方向の内端縁の方が、前記採光面の法線方向の外方に位置して設けられており、
前記第２太陽光部材は、前記位置決め用基準面上に前記側方方向に並んで複数設けられているとともに、複数の前記第２太陽光部材は、それぞれ、その外端縁にて前記位置決め用基準面上に連結されており、
前記側方方向に隣り合う前記第２太陽光部材同士のうちで、前記側方方向の外側の第２太陽光部材の外端縁と内端縁との間の長さがＬ２である場合に、
前記側方方向の内側の第２太陽光部材の外端縁は、前記外側の第２太陽光部材の外端縁の位置から前記位置決め用基準面に沿う方向の内方にＬ２／ｃｏｓ（α−θｗ）以上離れた位置に連結されていることを特徴とする太陽光発電装置。
【請求項６】
構築物が外部に具備する採光部の採光面に近接配置された複数の太陽光部材を有し、前記太陽光部材が、受光面で太陽光を受光することにより発電する太陽光発電装置において、
夏至の南中時における太陽の南方に対する仰角を夏至仰角θｓとし、冬至の南中時における太陽の南方に対する仰角を冬至仰角θｗとした場合であって、鉛直面の下方に対する前記採光部の採光面の傾き角度がαの場合に、
前記鉛直面の下方に対する受光面の傾き角度θ１を、前記θｓと前記αとの間の角度範囲で変更可能なように、前記受光面と一体となって回動可能に設けられた第１太陽光部材と、
前記鉛直面の下方に対する受光面の傾き角度θ２を、前記θｗと前記αとの間の角度範囲で変更可能なように、前記受光面と一体となって回動可能に設けられた第２太陽光部材と、
前記第１太陽光部材を回動する第１回動機構と、
前記第２太陽光部材を回動する第２回動機構と、を有し、
前記鉛直面に対する前記採光面の傾き角度αに関して、該採光面が前記鉛直面と平行な状態を０°（α＝０°）と定義し、該採光面における上端位置よりも下端位置の方が、前記鉛直面の法線方向に沿う側方方向の外方に位置するような傾き状態を正値（α＞０）と定義した場合に、
前記傾き角度αは、前記夏至仰角θｓよりも大きく前記冬至仰角θｗ＋９０°よりも小さい範囲（θｓ＜α＜θｗ＋９０°）の任意の角度に設定されており、
前記第１太陽光部材の前記側方方向の外端縁及び前記第２太陽光部材の前記側方方向の外端縁は、前記採光面と平行な平面を位置決め用基準面として当該位置決め用基準面上に配置され、
前記第１太陽光部材の前記側方方向の外端縁よりも前記側方方向の内端縁の方が、前記採光面の法線方向の外方に位置して設けられ、
前記第２太陽光部材の前記側方方向の外端縁よりも前記側方方向の内端縁の方が、前記採光面の法線方向の外方に位置して設けられており、
前記第１太陽光部材は、前記位置決め用基準面上に前記側方方向に並んで複数設けられているとともに、複数の前記第１太陽光部材は、それぞれ、その外端縁にて前記位置決め用基準面に連結されており、
前記側方方向に隣り合う前記第１太陽光部材同士のうちで、前記側方方向の外側の第１太陽光部材の外端縁と内端縁との間の長さがＬ１である場合に、
前記側方方向の内側の第１太陽光部材の外端縁は、前記外側の第１太陽光部材の外端縁の位置から前記位置決め用基準面に沿う方向の内方にＬ１／ｃｏｓ（α−θｓ）以上離れた位置に連結されていることを特徴とする太陽光発電装置。
【請求項７】
請求項５又は６に記載の太陽光発電装置であって、
前記側方方向に隣り合う前記第２太陽光部材同士の間に、前記第１太陽光部材が配置されていることを特徴とする太陽光発電装置。
【請求項８】
構築物が外部に具備する採光部の採光面に近接配置された複数の太陽光部材を有し、前記太陽光部材が、受光面で太陽光を受光することにより発電する太陽光発電装置において、
夏至の南中時における太陽の南方に対する仰角を夏至仰角θｓとし、冬至の南中時における太陽の南方に対する仰角を冬至仰角θｗとした場合であって、鉛直面の下方に対する前記採光部の採光面の傾き角度がαの場合に、
前記鉛直面の下方に対する受光面の傾き角度θ１を、前記θｓと前記αとの間の角度範囲で変更可能なように、前記受光面と一体となって回動可能に設けられた第１太陽光部材と、
前記鉛直面の下方に対する受光面の傾き角度θ２を、前記θｗと前記αとの間の角度範囲で変更可能なように、前記受光面と一体となって回動可能に設けられた第２太陽光部材と、
前記第１太陽光部材を回動する第１回動機構と、
前記第２太陽光部材を回動する第２回動機構と、を有し、
前記第一太陽光部材の一方の端縁と前記第二太陽光部材の一方の端縁が連結され、
前記採光面と平行な平面を位置決め用基準面として当該位置決め用基準面に、前記第一太陽光部材の他方の端縁と前記第二太陽光部材の他方の端縁のうちの一方が固定され、他方が前記位置決め用基準面から浮いて離間可能であることを特徴とする太陽光発電装置。
【請求項９】
構築物が外部に具備する採光部の採光面に近接配置された複数の太陽光部材を有し、前記太陽光部材が、受光面で太陽光を受光することにより発電する太陽光発電装置において、
夏至の南中時における太陽の南方に対する仰角を夏至仰角θｓとし、冬至の南中時における太陽の南方に対する仰角を冬至仰角θｗとした場合であって、鉛直面の下方に対する前記採光部の採光面の傾き角度がαの場合に、
前記鉛直面の下方に対する受光面の傾き角度θ１を、前記θｓと前記αとの間の角度範囲で変更可能なように、前記受光面と一体となって回動可能に設けられた第１太陽光部材と、
前記鉛直面の下方に対する受光面の傾き角度θ２を、前記θｗと前記αとの間の角度範囲で変更可能なように、前記受光面と一体となって回動可能に設けられた第２太陽光部材と、
前記第１太陽光部材を回動する第１回動機構と、
前記第２太陽光部材を回動する第２回動機構と、を有し、
前記第一太陽光部材の一方の端縁と前記第二太陽光部材の一方の端縁が、連結され、かつ、前記採光面と平行な平面を位置決め用基準面として当該位置決め用基準面に固定され、
前記第一太陽光部材の他方の端縁と前記第二太陽光部材の他方の端縁が前記位置決め用基準面から浮いて離間可能であることを特徴とする太陽光発電装置。
【発明の詳細な説明】
【技術分野】
【０００１】
本発明は、構築物の窓部のガラス部等の採光部に設置され、日射遮蔽のルーバーとしても機能する太陽光パネル等の太陽光部材を有した太陽光発電装置に関する。
【背景技術】
【０００２】
従来、構築物としての建物の屋根部等には、太陽光発電装置の太陽光部材として太陽光パネルが設置されており、当該太陽光パネルの受光面で太陽光を受光することにより発電が行われている。
【０００３】
かかる太陽光から電気へのエネルギー変換効率は、太陽光パネルの受光面への太陽光の入射角が直角に近い程大きくなる。また、南方基準の太陽の仰角は、年間を通じて変化するので、受光面への入射角も変化する。そのため、太陽の日周運動に連動して太陽光パネルの受光面の傾き角度θ（例えば鉛直方向に対する傾き角度θであり、以下ではこのように定義する）を変更すべく、受光面と一体となって太陽光パネルを回動する追尾式の太陽光発電装置も開発されている。
【先行技術文献】
【特許文献】
【０００４】
【特許文献１】特開昭６１−３１８５３号公報
【発明の概要】
【発明が解決しようとする課題】
【０００５】
一方、太陽光パネルを、採光部としての窓部のガラス部の近傍に配置して、ルーバーとして機能させることも考えられる。そして、ルーバーとしては、特に朝日や夕日の遮光が要求される。
【０００６】
この点につき、追尾式では、太陽の高度と連動して太陽光パネルの傾き角度θを変更するので、朝日や夕日の遮光については概ね行うことができる。例えば、窓部のガラス部のガラス面が鉛直面の場合には、日の出や日の入りの際には、太陽光パネルの受光面が鉛直方向に沿った鉛直面となり、これにより、太陽光パネルで窓部のガラス面を閉じた状態になる。
【０００７】
しかしながら、窓部のガラス面が鉛直面ではない場合には、日の出や日の入り時に太陽光パネルで窓部を閉じた状態にすることができない。例えば、ガラス面が鉛直面から所定の傾き角度αで傾斜した傾斜窓やガラス面が略水平な天井窓の場合には、日の出や日の入り時の太陽の高度が低いために、太陽光パネルの受光面は水平方向を向いた鉛直面となるので、傾斜窓や天井窓のガラス面は太陽光パネルで閉じられずに開いた状態になっている。そのため、夕日や朝日の反射光等が間接的に建物の屋内に差し込んでくる虞がある。
【０００８】
また、窓部のガラス面が鉛直面の場合に上述の追尾式を適用した場合には、夏期と冬期とでは日中の太陽の高度が大きく相違することから、日中の採光状態が大きく変化する虞がある。すなわち、夏期の日中には太陽の高度が高いことから、太陽光パネルの鉛直面に対する傾き角度θが大きくなって太陽光パネルは窓部に対して大きく開いた状態となるが、冬期の日中には、太陽光パネルの傾き角度θが小さくなって、太陽光パネルは窓部に対して概ね閉じた状態となり、その結果、日中の採光状態が年間を通して大きく変化する虞がある。
【０００９】
本発明は、上記のような従来の問題に鑑みなされたものであって、その目的は、年間を通して高いエネルギー変換効率で太陽光から電気を生成可能な太陽光発電装置でありながら、構築物内への朝日や夕日を確実に遮光しつつ、日中の採光状態を、年間を通して略一定に維持可能なルーバーとして機能する太陽光発電装置を提供することにある。
【課題を解決するための手段】
【００１０】
かかる目的を達成するために請求項１に示す発明は、
構築物が外部に具備する採光部の採光面に近接配置された複数の太陽光部材を有し、前記太陽光部材が、受光面で太陽光を受光することにより発電する太陽光発電装置において、
夏至の南中時における太陽の南方に対する仰角を夏至仰角θｓとし、冬至の南中時における太陽の南方に対する仰角を冬至仰角θｗとした場合であって、鉛直面の下方に対する前記採光部の採光面の傾き角度がαの場合に、
前記鉛直面の下方に対する受光面の傾き角度θ１を、前記θｓと前記αとの間の角度範囲で変更可能なように、前記受光面と一体となって回動可能に設けられた第１太陽光部材と、
前記鉛直面の下方に対する受光面の傾き角度θ２を、前記θｗと前記αとの間の角度範囲で変更可能なように、前記受光面と一体となって回動可能に設けられた第２太陽光部材と、
前記第１太陽光部材を回動する第１回動機構と、
前記第２太陽光部材を回動する第２回動機構と、を有し、
前記第１回動機構は、年間の各日に対して南中時を含む所定時間帯に亘り、前記傾き角度θ１を前記θｓに設定するとともに、年間の各日に対して日の出を含む所定時間帯に亘り、及び日の入りを含む所定時間帯に亘り、前記傾き角度θ１を前記αに設定し、
前記第２回動機構は、年間の各日に対して南中時を含む所定時間帯に亘り、前記傾き角度θ２を前記θｗに設定するとともに、年間の各日に対して日の出を含む所定時間帯に亘り、及び日の入りを含む所定時間帯に亘り、前記傾き角度θ２を前記αに設定することを特徴とする。
【００１１】
上記請求項１に示す発明によれば、年間を通して高いエネルギー変換効率で太陽光から電気を生成する太陽光発電装置でありながら、同装置は、構築物内への朝日や夕日を確実に遮光しつつ、日中の採光状態を、年間を通して略一定に維持可能なルーバーとして機能することができる。詳しくは次の通りである。
【００１５】
先ず、年間の各日に対して、南中時を含む所定時間帯に亘り、第１太陽光部材の傾き角度θ１をθｓに設定し、また、同南中時を含む所定時間帯に亘り、第２太陽光部材の傾き角度θ２をθｗに設定する。よって、夏至の南中時には太陽光が第１太陽光部材の受光面に、より直角に近い入射角で入射して、第１太陽光部材は、夏期に高いエネルギー変換効率で太陽光を電気に変換可能となり、また、冬至の南中時には太陽光が第２太陽光部材の受光面に、より直角に近い入射角で入射して、第２太陽光部材は、冬期に高いエネルギー変換効率で太陽光を電気に変換可能となる。その結果、夏期には、第１太陽光部材が高いエネルギー変換効率でもって太陽光から電気を生成し、冬期には、第２太陽光部材が高いエネルギー変換効率でもって太陽光から電気を生成するので、年間を通して当該太陽光発電装置は高いエネルギー変換効率で電気を生成可能となる。  
また、第１太陽光部材の傾き角度θ１及び第２太陽光部材の傾き角度θ２を、それぞれ南中時にθｓ及びθｗに設定するので、日中のうちの少なくとも南中時を含む所定時間帯については年間を通して、採光状態は略一定に維持される。  
更に、第１太陽光部材の傾き角度θ１及び第２太陽光部材の傾き角度θ２の両者を、日の出及び日の入りの際に採光面の傾き角度αと同値に設定するので、これら第１及び第２太陽光部材を、採光部の採光面と平行な遮光状態にすることができて、その結果、朝日及び夕日の入射起因で構築物内がまぶしく照らされる事態を防ぐことができる。
【００１８】
請求項２に示す発明は、
構築物が外部に具備する採光部の採光面に近接配置された複数の太陽光部材を有し、前記太陽光部材が、受光面で太陽光を受光することにより発電する太陽光発電装置において、
夏至の南中時における太陽の南方に対する仰角を夏至仰角θｓとし、冬至の南中時における太陽の南方に対する仰角を冬至仰角θｗとした場合であって、鉛直面の下方に対する前記採光部の採光面の傾き角度がαの場合に、
前記鉛直面の下方に対する受光面の傾き角度θ１を、前記θｓと前記αとの間の角度範囲で変更可能なように、前記受光面と一体となって回動可能に設けられた第１太陽光部材と、
前記鉛直面の下方に対する受光面の傾き角度θ２を、前記θｗと前記αとの間の角度範囲で変更可能なように、前記受光面と一体となって回動可能に設けられた第２太陽光部材と、
前記第１太陽光部材を回動する第１回動機構と、
前記第２太陽光部材を回動する第２回動機構と、を有し、
前記鉛直面の下方に対する前記採光面の傾き角度αに関して、該採光面が前記鉛直面の下方と平行な状態を０°（α＝０°）と定義し、該採光面における上端位置よりも下端位置の方が、前記鉛直面の法線方向に沿う側方方向の外方に位置するような傾き状態を正値（α＞０）と定義した場合に、
前記傾き角度αは、前記夏至仰角θｓ−９０°よりも大きく前記冬至仰角θｗよりも小さい範囲（θｓ−９０°＜α＜θｗ）の任意の角度に設定されており、
前記第１太陽光部材の上端縁及び前記第２太陽光部材の上端縁は、前記採光面と平行な平面を位置決め用基準面として当該位置決め用基準面上に配置され、
前記第１太陽光部材の上端縁よりも下端縁の方が、前記位置決め用基準面の法線方向の外方に位置して設けられ、
前記第２太陽光部材の上端縁よりも下端縁の方が、前記位置決め用基準面の法線方向の外方に位置して設けられており、
前記第１太陽光部材は、前記位置決め用基準面上に上下方向に並んで複数設けられているとともに、複数の前記第１太陽光部材は、それぞれ、その上端縁にて前記位置決め用基準面上に連結されており、
上下方向に隣り合う前記第１太陽光部材同士のうちで、上側の第１太陽光部材の上端縁と下端縁との間の長さがＬ１である場合に、
下側の第１太陽光部材の上端縁は、前記上側の第１太陽光部材の上端縁の位置から前記位置決め用基準面に沿う方向の下方にＬ１／ｃｏｓ（θｓ−α）以上離れた位置に連結されていることを特徴とする。
【００１９】
上記請求項２に示す発明によれば、年間を通して高いエネルギー変換効率で太陽光から電気を生成可能な太陽光発電装置でありながら、同装置は、構築物内への朝日や夕日を確実に遮光しつつ、日中の採光状態を年間を通して一定に維持可能なルーバーとして機能することができる。
また、下側の第２太陽光部材の上端縁の固定位置を、上側の第２太陽光部材の上端縁の位置から取り付け対象面に沿う方向の下方にＬ２／ｃｏｓ（θｗ−α）以上離れた位置にしているので、少なくとも冬至の日において、上側の第２太陽光部材の影が、下側の第２太陽光部材の受光面にかかることを回避できる。
【００２０】
請求項３に示す発明は、
構築物が外部に具備する採光部の採光面に近接配置された複数の太陽光部材を有し、前記太陽光部材が、受光面で太陽光を受光することにより発電する太陽光発電装置において、
夏至の南中時における太陽の南方に対する仰角を夏至仰角θｓとし、冬至の南中時における太陽の南方に対する仰角を冬至仰角θｗとした場合であって、鉛直面の下方に対する前記採光部の採光面の傾き角度がαの場合に、
前記鉛直面の下方に対する受光面の傾き角度θ１を、前記θｓと前記αとの間の角度範囲で変更可能なように、前記受光面と一体となって回動可能に設けられた第１太陽光部材と、
前記鉛直面の下方に対する受光面の傾き角度θ２を、前記θｗと前記αとの間の角度範囲で変更可能なように、前記受光面と一体となって回動可能に設けられた第２太陽光部材と、
前記第１太陽光部材を回動する第１回動機構と、
前記第２太陽光部材を回動する第２回動機構と、を有し、
前記鉛直面の下方に対する前記採光面の傾き角度αに関して、該採光面が前記鉛直面の下方と平行な状態を０°（α＝０°）と定義し、該採光面における上端位置よりも下端位置の方が、前記鉛直面の法線方向に沿う側方方向の外方に位置するような傾き状態を正値（α＞０）と定義した場合に、
前記傾き角度αは、前記夏至仰角θｓ−９０°よりも大きく前記冬至仰角θｗよりも小さい範囲（θｓ−９０°＜α＜θｗ）の任意の角度に設定されており、
前記第１太陽光部材の上端縁及び前記第２太陽光部材の上端縁は、前記採光面と平行な平面を位置決め用基準面として当該位置決め用基準面上に配置され、
前記第１太陽光部材の上端縁よりも下端縁の方が、前記位置決め用基準面の法線方向の外方に位置して設けられ、
前記第２太陽光部材の上端縁よりも下端縁の方が、前記位置決め用基準面の法線方向の外方に位置して設けられており、
前記第２太陽光部材は、前記位置決め用基準面上に上下方向に並んで複数設けられているとともに、複数の前記第２太陽光部材は、それぞれ、その上端縁にて前記位置決め用基準面上に連結されており、
上下方向に隣り合う前記第２太陽光部材同士のうちで、上側の第２太陽光部材の上端縁と下端縁との間の長さがＬ２である場合に、
下側の第２太陽光部材の上端縁は、前記上側の第２太陽光部材の上端縁の位置から前記位置決め用基準面に沿う方向の下方にＬ２／ｃｏｓ（θｗ−α）以上離れた位置に連結されていることを特徴とする。
【００２１】
上記請求項３に示す発明によれば、年間を通して高いエネルギー変換効率で太陽光から電気を生成可能な太陽光発電装置でありながら、同装置は、構築物内への朝日や夕日を確実に遮光しつつ、日中の採光状態を年間を通して一定に維持可能なルーバーとして機能することができる。
また、下側の第２太陽光部材の上端縁の連結位置を、上側の第２太陽光部材の上端縁の位置から位置決め用基準面に沿う方向の下方にＬ２／ｃｏｓ（θｗ−α）以上離れた位置にしているので、少なくとも冬至の日において、上側の第２太陽光部材の影が、下側の第２太陽光部材の受光面にかかることを回避できる。
【００２２】
請求項４に示す発明は、請求項２又は３に記載の太陽光発電装置であって、
上下方向に隣り合う前記第１太陽光部材同士の間に、前記第２太陽光部材が配置されていることを特徴とする。
【００２３】
上記請求項４に示す発明によれば、第１太陽光部材同士の間に第２太陽光部材を配置している。ここで、この第１太陽光部材同士の間の部分というのは、第１太陽光部材のエネルギー変換効率が高い夏期には、第１太陽光部材の影が出来やすい部分であるため、夏期にはデッドスペースとなり得るが、一方、冬期にあっては、夏期と比べて太陽の高度が低くなるために、第１太陽光部材の影は小さくなって当該影が出来難い部分となる。そのため、当該部分に第２太陽光部材を配置することで、冬期に高いエネルギー変換効率で太陽光を電気に変換して冬期の発電量を増やすことができる。すなわち、第１太陽光部材の影の発生の関係で、第１太陽光部材を配置できなかったデッドスペースに第２太陽光部材を配置しているので、位置決め用基準面上の空きスペースの縮小化を図れる。
【００３２】
請求項５に示す発明は、
構築物が外部に具備する採光部の採光面に近接配置された複数の太陽光部材を有し、前記太陽光部材が、受光面で太陽光を受光することにより発電する太陽光発電装置において、
夏至の南中時における太陽の南方に対する仰角を夏至仰角θｓとし、冬至の南中時における太陽の南方に対する仰角を冬至仰角θｗとした場合であって、鉛直面の下方に対する前記採光部の採光面の傾き角度がαの場合に、
前記鉛直面の下方に対する受光面の傾き角度θ１を、前記θｓと前記αとの間の角度範囲で変更可能なように、前記受光面と一体となって回動可能に設けられた第１太陽光部材と、
前記鉛直面の下方に対する受光面の傾き角度θ２を、前記θｗと前記αとの間の角度範囲で変更可能なように、前記受光面と一体となって回動可能に設けられた第２太陽光部材と、
前記第１太陽光部材を回動する第１回動機構と、
前記第２太陽光部材を回動する第２回動機構と、を有し、
前記鉛直面に対する前記採光面の傾き角度αに関して、該採光面が前記鉛直面と平行な状態を０°（α＝０°）と定義し、該採光面における上端位置よりも下端位置の方が、前記鉛直面の法線方向に沿う側方方向の外方に位置するような傾き状態を正値（α＞０）と定義した場合に、
前記傾き角度αは、前記夏至仰角θｓよりも大きく前記冬至仰角θｗ＋９０°よりも小さい範囲（θｓ＜α＜θｗ＋９０°）の任意の角度に設定されており、
前記第１太陽光部材の前記側方方向の外端縁及び前記第２太陽光部材の前記側方方向の外端縁は、前記採光面と平行な平面を位置決め用基準面として当該位置決め用基準面上に配置され、
前記第１太陽光部材の前記側方方向の外端縁よりも前記側方方向の内端縁の方が、前記採光面の法線方向の外方に位置して設けられ、
前記第２太陽光部材の前記側方方向の外端縁よりも前記側方方向の内端縁の方が、前記採光面の法線方向の外方に位置して設けられており、
前記第２太陽光部材は、前記位置決め用基準面上に前記側方方向に並んで複数設けられているとともに、複数の前記第２太陽光部材は、それぞれ、その外端縁にて前記位置決め用基準面上に連結されており、
前記側方方向に隣り合う前記第２太陽光部材同士のうちで、前記側方方向の外側の第２太陽光部材の外端縁と内端縁との間の長さがＬ２である場合に、
前記側方方向の内側の第２太陽光部材の外端縁は、前記外側の第２太陽光部材の外端縁の位置から前記位置決め用基準面に沿う方向の内方にＬ２／ｃｏｓ（α−θｗ）以上離れた位置に連結されていることを特徴とする。
【００３３】
上記請求項５に示す発明によれば、年間を通して高いエネルギー変換効率で太陽光から電気を生成可能な太陽光発電装置でありながら、同装置は、構築物内への朝日や夕日を確実に遮光しつつ、日中の採光状態を年間を通して一定に維持可能なルーバーとして機能することができる。
また、内側の第２太陽光部材の外端縁の連結位置を、外側の第２太陽光部材の外端縁の位置から位置決め用基準面に沿う方向の内方にＬ２／ｃｏｓ（α−θｗ）以上離れた位置にしているので、少なくとも冬期の南中時において、外側の第２太陽光部材の影が、内側の第２太陽光部材の受光面にかかることを回避できる。
【００３４】
請求項６に示す発明は、
構築物が外部に具備する採光部の採光面に近接配置された複数の太陽光部材を有し、前記太陽光部材が、受光面で太陽光を受光することにより発電する太陽光発電装置において、
夏至の南中時における太陽の南方に対する仰角を夏至仰角θｓとし、冬至の南中時における太陽の南方に対する仰角を冬至仰角θｗとした場合であって、鉛直面の下方に対する前記採光部の採光面の傾き角度がαの場合に、
前記鉛直面の下方に対する受光面の傾き角度θ１を、前記θｓと前記αとの間の角度範囲で変更可能なように、前記受光面と一体となって回動可能に設けられた第１太陽光部材と、
前記鉛直面の下方に対する受光面の傾き角度θ２を、前記θｗと前記αとの間の角度範囲で変更可能なように、前記受光面と一体となって回動可能に設けられた第２太陽光部材と、
前記第１太陽光部材を回動する第１回動機構と、
前記第２太陽光部材を回動する第２回動機構と、を有し、
前記鉛直面に対する前記採光面の傾き角度αに関して、該採光面が前記鉛直面と平行な状態を０°（α＝０°）と定義し、該採光面における上端位置よりも下端位置の方が、前記鉛直面の法線方向に沿う側方方向の外方に位置するような傾き状態を正値（α＞０）と定義した場合に、
前記傾き角度αは、前記夏至仰角θｓよりも大きく前記冬至仰角θｗ＋９０°よりも小さい範囲（θｓ＜α＜θｗ＋９０°）の任意の角度に設定されており、
前記第１太陽光部材の前記側方方向の外端縁及び前記第２太陽光部材の前記側方方向の外端縁は、前記採光面と平行な平面を位置決め用基準面として当該位置決め用基準面上に配置され、
前記第１太陽光部材の前記側方方向の外端縁よりも前記側方方向の内端縁の方が、前記採光面の法線方向の外方に位置して設けられ、
前記第２太陽光部材の前記側方方向の外端縁よりも前記側方方向の内端縁の方が、前記採光面の法線方向の外方に位置して設けられており、
前記第１太陽光部材は、前記位置決め用基準面上に前記側方方向に並んで複数設けられているとともに、複数の前記第１太陽光部材は、それぞれ、その外端縁にて前記位置決め用基準面に連結されており、
前記側方方向に隣り合う前記第１太陽光部材同士のうちで、前記側方方向の外側の第１太陽光部材の外端縁と内端縁との間の長さがＬ１である場合に、
前記側方方向の内側の第１太陽光部材の外端縁は、前記外側の第１太陽光部材の外端縁の位置から前記位置決め用基準面に沿う方向の内方にＬ１／ｃｏｓ（α−θｓ）以上離れた位置に連結されていることを特徴とする。
【００３５】
上記請求項６に示す発明によれば、年間を通して高いエネルギー変換効率で太陽光から電気を生成可能な太陽光発電装置でありながら、同装置は、構築物内への朝日や夕日を確実に遮光しつつ、日中の採光状態を年間を通して一定に維持可能なルーバーとして機能することができる。
また、内側の第１太陽光部材の外端縁の連結位置を、外側の第１太陽光部材の外端縁の位置から位置決め用基準面に沿う方向の内方にＬ１／ｃｏｓ（α−θｓ）以上離れた位置にしているので、少なくとも夏至の南中時において、外側の第１太陽光部材の影が、内側の第１太陽光部材の受光面にかかることを回避できる。
【００３６】
請求項７に示す発明は、請求項５又は６に記載の太陽光発電装置であって、
前記側方方向に隣り合う前記第２太陽光部材同士の間に、前記第１太陽光部材が配置されていることを特徴とする。
【００３７】
上記請求項７に示す発明によれば、第２太陽光部材同士の間に第１太陽光部材を配置している。ここで、この第２太陽光部材同士の間の部分というのは、第２太陽光部材のエネルギー変換効率が高い冬期には、第２太陽光部材の影が出来やすい部分であるため、冬期にはデッドスペースとなるが、一方、夏期にあっては、冬期と比べて太陽の高度が高くなるために、第２太陽光部材の影は小さくなって当該影が出来難い部分となる。そのため、当該部分に第１太陽光部材を配置することで、夏期に高いエネルギー変換効率で太陽光を電気に変換して夏期の発電量を増やすことができる。すなわち、第２太陽光部材の影の発生の関係で、第２太陽光部材を配置できなかったデッドスペースに第１太陽光部材を配置しているので、取り付け対象面上の空きスペースの縮小化を図れる。
【００３８】
請求項８に示す発明は、
構築物が外部に具備する採光部の採光面に近接配置された複数の太陽光部材を有し、前記太陽光部材が、受光面で太陽光を受光することにより発電する太陽光発電装置において、
夏至の南中時における太陽の南方に対する仰角を夏至仰角θｓとし、冬至の南中時における太陽の南方に対する仰角を冬至仰角θｗとした場合であって、鉛直面の下方に対する前記採光部の採光面の傾き角度がαの場合に、
前記鉛直面の下方に対する受光面の傾き角度θ１を、前記θｓと前記αとの間の角度範囲で変更可能なように、前記受光面と一体となって回動可能に設けられた第１太陽光部材と、
前記鉛直面の下方に対する受光面の傾き角度θ２を、前記θｗと前記αとの間の角度範囲で変更可能なように、前記受光面と一体となって回動可能に設けられた第２太陽光部材と、
前記第１太陽光部材を回動する第１回動機構と、
前記第２太陽光部材を回動する第２回動機構と、を有し、
前記第一太陽光部材の一方の端縁と前記第二太陽光部材の一方の端縁が連結され、
前記採光面と平行な平面を位置決め用基準面として当該位置決め用基準面に、前記第一太陽光部材の他方の端縁と前記第二太陽光部材の他方の端縁のうちの一方が固定され、他方が前記位置決め用基準面から浮いて離間可能であることを特徴とする。
上記請求項８に示す発明によれば、年間を通して高いエネルギー変換効率で太陽光から電気を生成可能な太陽光発電装置でありながら、同装置は、構築物内への朝日や夕日を確実に遮光しつつ、日中の採光状態を年間を通して一定に維持可能なルーバーとして機能することができる。
また、意匠的に面白い太陽光部材を実現できる。
【００３９】
請求項９に示す発明は、
構築物が外部に具備する採光部の採光面に近接配置された複数の太陽光部材を有し、前記太陽光部材が、受光面で太陽光を受光することにより発電する太陽光発電装置において、
夏至の南中時における太陽の南方に対する仰角を夏至仰角θｓとし、冬至の南中時における太陽の南方に対する仰角を冬至仰角θｗとした場合であって、鉛直面の下方に対する前記採光部の採光面の傾き角度がαの場合に、
前記鉛直面の下方に対する受光面の傾き角度θ１を、前記θｓと前記αとの間の角度範囲で変更可能なように、前記受光面と一体となって回動可能に設けられた第１太陽光部材と、
前記鉛直面の下方に対する受光面の傾き角度θ２を、前記θｗと前記αとの間の角度範囲で変更可能なように、前記受光面と一体となって回動可能に設けられた第２太陽光部材と、
前記第１太陽光部材を回動する第１回動機構と、
前記第２太陽光部材を回動する第２回動機構と、を有し、
前記第一太陽光部材の一方の端縁と前記第二太陽光部材の一方の端縁が、連結され、かつ、前記採光面と平行な平面を位置決め用基準面として当該位置決め用基準面に固定され、
前記第一太陽光部材の他方の端縁と前記第二太陽光部材の他方の端縁が前記位置決め用基準面から浮いて離間可能であることを特徴とする。
上記請求項９に示す発明によれば、年間を通して高いエネルギー変換効率で太陽光から電気を生成可能な太陽光発電装置でありながら、同装置は、構築物内への朝日や夕日を確実に遮光しつつ、日中の採光状態を年間を通して一定に維持可能なルーバーとして機能することができる。
また、意匠的に面白い太陽光部材を実現できる。
【発明の効果】
【００４０】
本発明によれば、年間を通して高いエネルギー変換効率で太陽光から電気を生成可能な太陽光発電装置でありながら、構築物内への朝日や夕日を確実に遮光しつつ、日中の採光状態を、年間を通して略一定に維持可能なルーバーとして機能する太陽光発電装置を提供可能となる。
【図面の簡単な説明】
【００４１】
【図１Ａ】本発明に係る太陽光発電装置の基本構成を説明するための第１態様の概略側面図であって、日中の所定時間帯に設定される採光状態を示す図である。
【図１Ｂ】同第１態様の概略側面図であって、日の出や日の入りの時間帯に設定される遮光状態を示す図である。
【図２】第１〜第３態様に係る位置決め用基準面３の傾き角度αの説明図である。
【図３】図３Ａは、第１態様において、θｓ−９０°≧αの場合の問題点の説明図であり、図３Ｂは、同第１態様において、θｗ≦αの場合の問題点の説明図である。
【図４】上下方向に隣り合う第１太陽光パネル１０，１０同士の間の間隔に係る距離Ｄ１（＝Ｌ１／ｃｏｓ（θｓ−α））の説明図である。
【図５】図５Ａ及び図５Ｂは、上下方向に隣り合う第１太陽光パネル１０，１０同士の間の位置に第２太陽光パネル２０を配置するのが好ましい理由の説明図である。
【図６】上下方向に隣り合う第２太陽光パネル２０，２０同士の間の間隔に係る距離Ｄ２（＝Ｌ２／ｃｏｓ（θｗ−α））の説明図である。
【図７】上下方向に隣り合う第２太陽光パネル２０，２０同士の間の間隔に係る距離Ｄ２（＝Ｌ２×ｃｏｓ（θｗ−α）＋Ｌ２×ｔａｎ（θｍ−α）×ｓｉｎ（θｗ−α））の説明図である。
【図８】図８Ａは、第１太陽光パネル１０の下方の隣に第２太陽光パネル２０が位置している場合において互いの間を離すべき距離の下限値Ｄ１２の説明図であり、図８Ｂは、第２太陽光パネル２０の下方の隣に第１太陽光パネル１０が位置している場合において互いの間を離すべき距離の下限値Ｄ２１の説明図である。
【図９】建物の外壁部の代わりにガラス板９が設けられた場合であって、当該ガラス板９よりも屋内側の位置に第１太陽光パネル１０，１０…及び第２太陽光パネル２０，２０…が配置された場合の概略側面図である。
【図１０】第２態様の概略側面図であって、日中の所定時間帯に設定される採光状態を示す図である。
【図１１】同第２態様の概略側面図であって、日の出や日の入りの時間帯に設定される遮光状態を示す図である。
【図１２】図１２Ａは、第２態様において、θｗ≧αの場合の問題点の説明図であり、図１２Ｂは、同第２態様において、α≧θｓの場合の問題点の説明図である。
【図１３】建物の傾斜した窓部のガラス部９よりも屋内側の位置に第１太陽光パネル１０，１０…及び第２太陽光パネル２０，２０…が配置された場合の概略側面図である。
【図１４】第３態様の概略側面図であって、日中の所定時間帯に設定される採光状態を示す図である。
【図１５】同第３態様の概略側面図であって、日の出や日の入りの時間帯に設定される遮光状態を示す図である。
【図１６】図１６Ａは、第３態様において、α≧θｗ＋９０°の場合の問題点の説明図であり、図１６Ｂは、同第３態様において、θｓ≧αの場合の問題点の説明図である。
【図１７】側方方向に隣り合う第２太陽光パネル２０，２０同士の間の間隔に係る距離Ｄ２’ （＝Ｌ２／ｃｏｓ（α−θｗ））の説明図である。
【図１８】図１８Ａ及び図１８Ｂは、側方方向に隣り合う第２太陽光パネル２０，２０同士の間の位置に第１太陽光パネル１０を配置するのが好ましい理由の説明図である。
【図１９】側方方向に隣り合う第１太陽光パネル１０，１０同士の間の間隔に係る距離Ｄ１’ （＝Ｌ１／ｃｏｓ（α−θｓ））の説明図である。
【図２０】側方方向に隣り合う第１太陽光パネル１０，１０同士の間の間隔に係る距離Ｄ１’（＝Ｌ１×ｃｏｓ（α−θｓ）＋Ｌ１×ｔａｎ（α−θｍ）×ｓｉｎ（α−θｓ））の説明図である。
【図２１】図２１Ａは、第１太陽光パネル１０の側方方向の内方の隣に第２太陽光パネル２０が位置している場合において互いの間を離すべき距離の下限値Ｄ１２’の説明図であり、図２１Ｂは、第２太陽光パネル２０の側方方向の内方の隣に第１太陽光パネル１０が位置している場合において互いの間を離すべき距離の下限値Ｄ２１’の説明図である。
【図２２】建物の屋根部の代わりにガラス板９が設けられた場合であって、当該ガラス板９よりも屋内側の位置に第１太陽光パネル１０，１０…及び第２太陽光パネル２０，２０…が配置された場合の概略側面図である。
【図２３】その他の実施形態の概略側面図である。
【図２４】その他の実施形態の概略側面図である。
【図２５】その他の実施形態の概略側面図である。
【図２６】その他の実施形態の概略側面図である。
【図２７】その他の実施形態の概略側面図である。
【発明を実施するための形態】
【００４２】
＝＝＝本実施形態＝＝＝
始めに図１Ａ及び図１Ｂの概略側面図を参照しながら、本発明の基本構成について説明する。  
図１Ａに示すように、本発明の太陽光発電装置は、複数の第１太陽光パネル１０，１０…（第１太陽光部材に相当）と、複数の第２太陽光パネル２０，２０…（第２太陽光部材に相当）とを有している。何れの太陽光パネル１０，２０も受光面１０ａ，２０ａを有し、受光面１０ａ，２０ａで太陽光を受光することにより発電する。そして、各太陽光パネル１０，２０は、受光面１０ａ，２０ａへの太陽光の入射角が直角に近い程、太陽光から電気へのエネルギー変換効率が高くなるという特性を有する。なお、当該太陽光パネル１０，２０には、シリコン半導体などを主な材料とした薄膜状の太陽電池セルなどの周知構成を適用可能であり、かかる太陽電池セルの場合には、その薄膜の略平坦面が、上述の受光面１０ａ，２０ａに該当する。
【００４３】
かかる第１太陽光パネル１０，１０…及び第２太陽光パネル２０，２０…は、例えば、建物の外部近傍に配置される。すなわち、建物の外部には、屋内に外光を取り入れる採光部として、窓部等のガラス部９が設けられており、このガラス部９のガラス面９ａ（採光面に相当）に近接してこれら太陽光パネル１０，２０は配置され、これにより日射遮蔽目的のルーバーとしても機能する。なお、図１Ａの例では、これら太陽光パネル１０，２０は、ガラス面９よりも建物の屋外側（外方）に配置されているが、屋内側に配置されても良く、これについては図９等を参照しながら後述する。
【００４４】
ところで、本発明では、図１Ａに示すように、第１太陽光パネル１０の受光面１０ａ及び第２太陽光パネル２０の受光面２０ａの何れに対しても、共通の鉛直面Ａｓを基準として傾き角度θ１，θ２が設定されている。また、これら傾き角度θ１，θ２を所定の角度範囲で変更可能にすべく、第１及び第２太陽光パネル１０，２０は、それぞれ、対応する受光面１０ａ，２０ａと一体となって回動可能な平面視略矩形の平板状部材として構成されており、そして、各太陽光パネル１０，２０は、それぞれ対応する回動機構（回動機構については後述する）により回動されるようになっている。  
そして、かかる構成において、鉛直面Ａｓの下方に対するガラス部９のガラス面９ａの傾き角度をαと定義した場合には、例えば、図１Ａに示すように各傾き角度θ１，θ２をαよりも大きくすれば、各太陽光パネル１０，２０を、ガラス部９を介して建物の屋内に太陽光を取り込み可能な採光状態にすることができる一方、図１Ｂに示すように、傾き角度θ１，θ２をαと同値に設定すれば、各太陽光パネル１０，２０を、ガラス部９のガラス面９ａと平行な状態たる遮光状態にすることができる。
【００４５】
そのため、本発明では、図１Ａ及び図１Ｂに示すように、第１太陽光パネル１０の傾き角度θ１の変更可能な角度範囲を、θｓとαとの間の角度範囲としており、また、第２太陽光パネル２０の傾き角度θ２の変更可能な角度範囲を、θｗとαとの間の角度範囲としている。
【００４６】
ここで、上記の「θｓ」とは、夏至の南中時における太陽の南方に対する仰角のことであり、例えば東京の緯度（３５°）であれば、７８°（＝９０°−３５°＋２３．４°）である。また、「θｗ」とは、冬至の南中時における太陽の南方に対する仰角のことであり、例えば東京であれば、３２°（９０°−３５°−２３．４°）である。  
よって、図１Ａに示すように、第１太陽光パネル１０の日中の所定時間帯（例えば南中時を含む時間帯）の傾き角度θ１をθｓに設定し、第２太陽光パネル２０の日中の所定時間帯（例えば南中時を含む時間帯）の傾き角度θ２をθｗに設定すれば、夏期（春分から夏至を経て秋分に至るまでの期間）には、太陽光が第１太陽光部材の受光面に、より直角に近い入射角で入射して、第１太陽光パネル１０が高いエネルギー変換効率でもって太陽光から電気を生成可能であり、また冬期（秋分から冬至を経て春分に至るまでの期間）には、太陽光が第２太陽光部材の受光面に、より直角に近い入射角で入射して、第２太陽光パネル２０が高いエネルギー変換効率でもって太陽光から電気を生成可能であるので、年間を通して当該太陽光発電装置は高いエネルギー変換効率で電気を生成可能となる。  
また、このように日中の所定時間帯の傾き角度θ１及び傾き角度θ２をそれぞれθｓ及びθｗに設定すれば（図１Ａ）、少なくとも日中の所定時間帯の建物の屋内への採光状態も、夏期や冬期によらず年間を通して略一定に維持可能となる。  
更に、図１Ｂに示すように、第１太陽光パネル１０の傾き角度θ１及び第２太陽光パネル２０の傾き角度θ２を、それぞれ日の出の時間帯及び日の入りの時間帯に上記αに設定すれば、これら第１及び第２太陽光パネル１０，２０を、建物のガラス部９のガラス面９ａと平行な状態たる遮光状態にすることができる。その結果、第１太陽光パネル１０及び第２太陽光パネル２０によって朝日や夕日が確実に遮光され、朝日や夕日の入射起因で建物の屋内がまぶしく照らされる事態を有効に防ぐことができる。
【００４７】
かかる第１及び第２太陽光パネル１０，２０は、建物が具備する面のうちで、夏至の南中時と冬至の南中時との両者において直射日光が当たるような面を取り付け対象面３ａとして取り付けられる。なお、以下では、取り付け対象面３ａが南北方向と平行な方向を向いている前提で説明するが、上記条件を満足するような取り付け対象面３ａであれば、南北方向と平行な方向以外を向いていても良い。
【００４８】
また、かかる取り付け対象面３ａの近傍には、窓部等のガラス部９が位置していて、当該ガラス部９のガラス面９ａは、取り付け対象面３ａと平行になっている。但し、場合によっては、取り付け対象面３ａが、ガラス面９ａと同一となることも有り得るが、同一とはならないことも有り得て、更には、後述する図９、図１３、及び図２２の例のように、取り付け対象面３ａに相当する現実の面が存在しない場合も想定される。  
そのため、ここでは、取り付け対象面３ａに代わる用語として、「位置決め用基準面３」を定義し、以下では、この用語を主に用いて説明する。この「位置決め用基準面３」とは、第１及び第２太陽光パネル１０，２０を建物に取り付ける際の位置決めの基準となる面のことであり、場合によっては上述の取り付け対象面３ａと一致することもあるが、相違することもある。なお、相違する場合であっても、位置決め用基準面３と取り付け対象面３ａとは、互いに平行状態にあり、つまり、位置決め用基準面３は、ガラス部９のガラス面９ａと平行である。
【００４９】
かかる位置決め用基準面３への第１太陽光パネル１０及び第２太陽光パネル２０の取り付け態様は、上記位置決め用基準面３が既述の鉛直面Ａｓの下方との間で形成する傾き角度αに応じて、第１〜第３の三態様に大別される。すなわち、本実施形態のように、日中の時間帯に第１太陽光パネル１０の傾き角度θ１をθｓに設定し、且つ第２太陽光パネル２０の傾き角度θ２をθｗに設定するような場合には、上記傾き角度αに応じて、その取り付け態様が、以下の第１〜第３の三態様に大別される。
【００５０】
図２は、かかる第１〜第３態様の説明図である。なお、以下では、水平方向の側方方向のうちの一方側を外方と言い、他方側を内方と言う。ちなみに、「外方」は、建物（構築物）の屋外側に対応し、「内方」は建物の屋内側に対応しており、また、当該側方方向は、上述の鉛直面Ａｓの法線方向にも相当する。
【００５１】
また、ここでは、傾き角度αの定義として、位置決め用基準面３が鉛直面Ａｓの下方と平行な状態をα＝０°とし、位置決め用基準面３における上端位置よりも下端位置の方が、鉛直面Ａｓの法線方向たる側方方向の外方に突出した傾き状態をα＞０としている（図２では時計回りの方向）。そして、αが、０＜α＜９０°の範囲では、位置決め用基準面３は側方方向の外方（正確には、外方斜め上方）を向いているが、α＝９０°では、位置決め用基準面３が水平面となって同面３は鉛直上方を向き、更に９０°＜α＜１８０°の範囲では、側方方向の内方（正確には、内方斜め上方）を向いた状態になる。
【００５２】
図２に示すように、第１態様は、建物の外壁面に相当する略鉛直面部４（図１Ａ）を位置決め用基準面３とする場合であり、第２態様は、建物の屋根面に相当する略水平面部６（図１４）を位置決め用基準面３とする場合であり、第３態様は、これら略鉛直面部４と略水平面部６との間の傾斜を有した傾斜面に相当する略斜面部５（図１０）を位置決め用基準面３とする場合である。  
具体的には、第１態様は、位置決め用基準面３の傾き角度αが、θｓ−９０°＜α＜θｗの場合であり、第２態様は、位置決め用基準面３の傾き角度αが、θｗ＜α＜θｓの場合であり、第３態様は、位置決め用基準面３の傾き角度αが、θｓ＜α＜θｗ＋９０°の場合である。より具体的に言えば、緯度が３５°の東京の場合には、夏至仰角θｓが７８°で、冬至仰角θｗが３２°なので、第１態様は−１２°＜α＜３２°となり、第２態様は３２°＜α＜７８°となり、第３態様は７８°＜α＜１２２°となる。以下、かかる角度範囲で三区分される理由を含め、第１〜第３の各態様について詳しく説明する。
【００５３】
＜＜＜第１態様＞＞＞
図１Ａの第１態様は、既述のように略鉛直面部４を取り付け対象面３ａたる位置決め用基準面３としている。更に繰り返して言えば、位置決め用基準面３の傾き角度αは、θｓ−９０°＜α＜θｗの範囲の任意値に設定されており、東京の場合には、−１２°＜α＜３２°の範囲の任意値に設定されている。なお、以下では、文中に傾き角度αの記載が登場する度に、当該傾き角度αをイメージし易いように、その直後の括弧内に東京での数値例を併記する。そして、図１Ａに示すように、かかる傾き角度αの位置決め用基準面３には、複数の第１太陽光パネル１０，１０…と複数の第２太陽光パネル２０，２０…とが、ルーバー状に上下方向に並んで配置されている。
【００５４】
ここで、図１Ａ及び図１Ｂに示すように、第１太陽光パネル１０は、その上端縁１０ｅｕにて位置決め用基準面３に連結されて片持ち支持されており、つまり、この上端縁１０ｅｕよりも下端縁１０ｅｄの方が位置決め用基準面３の法線方向の外方に位置して設けられており、これにより、鉛直面Ａｓの下方に対する傾き角度θ１は、θｓとαとの間の角度範囲を変更可能とされている。また、第２太陽光パネル２０の方も、その上端縁２０ｅｕにて位置決め用基準面３に連結されて片持ち支持されており、つまり、この上端縁２０ｅｕよりも下端縁２０ｅｄの方が位置決め用基準面３の法線方向の外方に位置して設けられており、これにより、鉛直面Ａｓの下方に対する傾き角度θ２は、θｗとαとの間の角度範囲を変更可能とされている。
【００５５】
よって、傾き角度αが、θｓ−９０°＜α＜θｗ（東京では、−１２°＜α＜３２°）の条件を満足するような位置決め用基準面３であれば、上記のような構成の第１太陽光パネル１０と第２太陽光パネル２０とを問題無く同位置決め用基準面３に位置させながら取り付け可能である。詳しく説明すると、先ず、位置決め用基準面３は、現実の取り付け対象面３ａである場合もあり得る。つまり現実のガラス面９ａとして存在する場合もあり得る。すると、αが上記条件を低い側に外れるθｓ−９０°≧αの場合（東京では、−１２°≧α）において、図３Ａに示すように、夏至の南中時の太陽の仰角θｓたる夏至仰角θｓ（東京では、θｓ＝７８°）の時に傾き角度θ１がθｓに設定されると、第１太陽光パネル１０の受光面１０ａの一部に取り付け対象面３ａの影が入ってしまい問題となる。また、αが上記条件を高い側に外れるα≧θｗの場合（東京では、α≧３２°の場合）には、取り付け対象面３ａに第２太陽光パネル２０を取り付けようとすると、図３Ｂに示すように、少なくとも傾き角度θ２が変更可能な角度範囲のうちのθｗの時に、第２太陽光パネル２０の下部２０ｄが取り付け対象面３ａと干渉してしまい、取り付け困難となる。この点につき、上記条件を満足すれば、これらの問題を回避可能である。すなわち、取り付け対象面３ａの傾き角度αが、θｓ−９０°＜α＜θｗ（東京では、−１２°＜α＜３２°）の条件を満たせば、取り付け対象面３ａの影が第１太陽光パネル１０の受光面１０ａにかかることを回避しつつ、取り付け対象面３ａに確実且つ容易に第２太陽光パネル２０を取り付け可能となる。
【００５６】
かかる取り付け対象面３ａたる位置決め用基準面３には、図１Ａ及び図１Ｂに示すように複数の第１太陽光パネル１０，１０…、及び第２太陽光パネル２０，２０…が設けられている。そして、各太陽光パネル１０，２０は、それぞれ回動機構によって各パネル１０，２０の上端縁１０ｅｕ，２０ｅｕを回転軸として回動可能に構成され、また、同回動機構により、傾き角度θ１及び傾き角度θ２が、それぞれα≦θ１≦θｓの角度範囲及びα≦θ２≦θｗの角度範囲で変更される。
【００５７】
第１太陽光パネル１０用の回動機構（第１回動機構に相当）としては、図１Ａ及び図１Ｂに示すように、第１太陽光パネル１０の上端縁１０ｅｕを回転軸として当該第１太陽光パネル１０を回転可能に支持するヒンジ部材等の軸支部材１２と、当該上端縁１０ｅｕ周りに第１太陽光パネル１０を回動する電動モータ等の駆動源（不図示）と、駆動源を制御するコンピュータ等の制御部（不図示）と、を例示することができる。  
同様に、第２太陽光パネル２０用の回動機構（第２回動機構に相当）としては、第２太陽光パネル２０の上端縁２０ｅｕを回転軸として当該第２太陽光パネル２０を回転可能に支持するヒンジ部材等の軸支部材２２と、当該上端縁２０ｅｕ周りに第２太陽光パネル２０を回動する電動モータ等の駆動源（不図示）と、駆動源を制御するコンピュータ等の制御部（不図示）と、を例示することができる。
【００５８】
そして、どちらの制御部にあっても、ハードディスク等の記憶部を有し、また、同記憶部内には、第１太陽光パネル１０の回動制御用データとして、年間の全ての日に亘って、日毎に、一日の各時刻に傾き角度θ１の設定値を対応付けてなる傾き角度θ１設定値データが格納されており、同様に、第２太陽光パネル２０の回動制御用データとして、年間の全ての日に亘って、日毎に、一日の各時刻に傾き角度θ２の設定値を対応付けてなる傾き角度θ２設定値データが格納されている。よって、制御部のプロセッサが、かかるデータに基づいて駆動源に回動角度の制御信号を送信することにより、傾き角度θ１，θ２の変更が行われる。
【００５９】
例えば、日の出の時刻を含む時間帯（以下、日の出時間帯とも言う）には、傾き角度θ１及び傾き角度θ２は、どちらもαに設定されて図１Ｂのような遮光状態になり、また、南中時を含む時間帯（以下、南中時間帯とも言う）には、傾き角度θ１及び傾き角度θ２は、それぞれθｓ及びθｗに設定されて図１Ａのような採光状態になり、更には、日の入りの時刻を含む時間帯（以下、日の入り時間帯とも言う）には、傾き角度θ１及び傾き角度θ２のどちらもαに設定されて図１Ｂのような遮光状態になる。そして、このように動作すれば、前述のように、年間を通して日中に高いエネルギー変換効率で太陽光から電気を生成しつつ、建物内への朝日や夕日を確実に遮光しながらも、日中の採光状態を、年間を通して略一定に維持可能となる。
【００６０】
なお、日の出時間帯と南中時間帯との間に位置する時間帯（以下、移行時間帯とも言う）については、傾き角度θ１及び傾き角度θ２を、それぞれ南中時間帯と同値のθｓ及びθｗに固定して設定しても良いし、或いは、時刻の経過と伴に、傾き角度θ１についてはαからθｓへと、また傾き角度θ２についてはαからθｗへと漸増変更しても良い。同様に、南中時間帯と日の入り時間帯との間に位置する時間帯（以下、移行時間帯とも言う）については、傾き角度θ１及び傾き角度θ２を、それぞれ南中時間帯と同値のθｓ及びθｗに固定して設定しても良いし、或いは、時刻の経過と伴に、傾き角度θ１についてはθｓからαへと、また傾き角度θ２についてはθｗからαへと漸減変更しても良い。更に、日の入り時間帯から日付変更時刻たる午前０時までの時間帯、及び午前０時から日の出時間帯までの時間帯については、傾き角度θ１及び傾き角度θ２を、そのままαに維持しても良いし、或いは、αよりも大きい角度に変更しても良いが、かかる変更した場合にあっても、日の出時間帯までにはαに戻されることになる。
【００６１】
日の出時間帯の一例としては、日の出開始時刻の１時間前から日の出開始時刻の１時間後までの時間範囲が挙げられ、また、南中時間帯の一例としては、南中時の３時間前から南中時の３時間後までの時間範囲が挙げられ、更に、日の入り時間帯の一例としては、日の入り開始時刻の１時間前から日の入り開始時刻の１時間後までの時間範囲が挙げられるが、何等これに限らず、上記と異なる時間範囲に設定しても構わない。
【００６２】
また、駆動源の一例としては電動モータが挙げられるが、当該電動モータを用いた場合には、同電動モータの作動に必要な動力を、第１太陽光パネル１０又は第２太陽光パネル２０で生成した電気の電力によって賄っても良い。その場合には、例えば、蓄電池（不図示）を設け、第１太陽光パネル１０又は第２太陽光パネル２０で生成した電気を蓄電池に蓄えるようにし、そして、蓄電池から電動モータへと電力供給すれば良い。なお、このことは、以下で説明する第２態様、及び第３態様についても同様である。
【００６３】
ところで、図１Ａの例では、位置決め用基準面３に、複数の第１太陽光パネル１０，１０…が設けられており、各第１太陽光パネル１０は、それぞれ上下方向に隣り合う第１太陽光パネル１０との間に間隔を空けて配置されている。そして、この間隔に関しては、次のように設定すると良い。すなわち、図４に示すように、上下方向に隣り合う第１太陽光パネル１０，１０同士のうちで、上側の第１太陽光パネル１０の上端縁１０ｅｕと下端縁１０ｅｄとの間の長さをＬ１とした場合に、下側の第１太陽光パネル１０の上端縁１０ｅｕが、上側の第１太陽光パネル１０の上端縁１０ｅｕの位置から位置決め用基準面３に沿う方向の下方に距離Ｄ１（＝Ｌ１／ｃｏｓ（θｓ−α））以上離れた位置に連結されていると良い。そうすれば、日中に傾き角度θ１がθｓに設定された際の第１太陽光パネル１０の影が、その下方に隣り合う第１太陽光パネル１０の受光面１０ａにかかることを、年間を通じて回避可能となる。詳しくは次の通りである。
【００６４】
先ず、この距離Ｄ１に係るＬ１／ｃｏｓ（θｓ−α）という数式は、図４を参照してわかるように、夏至の南中時に位置決め用基準面３上に形成される第１太陽光パネル１０の影の長さを表している。そして、この夏至の南中時が、年間のうちで太陽の高度が最も高いことから、第１態様の如き略鉛直面部４に形成される影の場合には、この夏至の南中時の影の長さが年間を通じた最長のものとなる。そのため、上記のように第１太陽光パネル１０，１０同士を距離Ｄ１以上離しておけば、日中に傾き角度θ１がθｓに設定された際の第１太陽光パネル１０の影が、その下方に隣り合う第１太陽光パネル１０の受光面１０ａにかかることを、年間に亘って回避することができて、結果、下側の第１太陽光パネル１０の受光面１０ａは、年間に亘ってその上方の第１太陽光パネル１０の影の影響から解放される。
【００６５】
なお、図１Ａの例では、第１太陽光パネル１０の長さＬ１は、全ての第１太陽光パネル１０，１０…に亘り同寸に揃っているため、上記の距離Ｄ１（＝Ｌ１／ｃｏｓ（θｓ−α））の値は、全ての第１太陽光パネル１０，１０…に関して同値となる。そして、図１Ａの例では、全ての第１太陽光パネル１０，１０…は、距離Ｄ１以上となる所定値Ｐ１を、位置決め用基準面３上の上下方向の配置ピッチとして配置されており、これにより各第１太陽光パネル１０，１０…は、それぞれ自身よりも上方に位置する第１太陽光パネル１０の影の影響から解放されている。また、上述のように距離Ｄ１以上離間していれば、必然的に長さＬ１以上離間していることになるので、図１Ｂの遮光状態の際に上下方向に隣り合う第１太陽光パネル１０，１０同士が干渉し合うことも確実に防止される。
【００６６】
他方、位置決め用基準面３には第２太陽光パネル２０，２０…も設けられている。そして、図１Ａの例では、上下方向に隣り合う第１太陽光パネル１０，１０同士の間の位置に、第２太陽光パネル２０が設けられている。ここで、同位置に第２太陽光パネル２０が設けられている理由は、次の通りである。図５Ａに示すように、この位置決め用基準面３における第１太陽光パネル１０，１０同士の間の位置というのは、第１太陽光パネル１０のエネルギー変換効率が高い夏期には、第１太陽光パネル１０の影が出来やすい部分である。そのため、夏期にはデッドスペースとなる。但し、図５Ｂに示すように、冬期にあっては、夏期と比べて太陽の高度が低くなることから、第１太陽光パネル１０の影は小さくなって当該影が出来難くなる。そのため、冬期に特化した第２太陽光パネル２０にあっては、第１太陽光パネル１０，１０同士の間の位置に配置可能であり、配置すれば、冬期に高いエネルギー変換効率で太陽光を電気に変換して冬期の発電量を増やすことができて、かような理由から、第１太陽光パネル１０，１０同士の間の位置に第２太陽光パネル２０を配置している。
【００６７】
この例では、図１Ａに示すように、上下方向に隣り合う第１太陽光パネル１０，１０同士の間の位置に、複数の一例として三つの第２太陽光パネル２０，２０，２０が上下方向に整列して配置されているが、何等これに限らず、一つや二つでも良いし、四つ以上でも良い。なお、第２太陽光パネル２０を複数設ける場合には、上述の第１太陽光パネル１０の場合と同様に、受光面２０ａへの影の影響が小さくなるように考慮して第２太陽光パネル２０，２０同士の間の距離が設定されるのが望ましい。
【００６８】
すなわち、図６に示すように、上下方向に隣り合う第２太陽光パネル２０，２０同士のうちで、上側の第２太陽光パネル２０の上端縁２０ｅｕと下端縁２０ｅｄとの間の長さをＬ２とした場合に、下側の第２太陽光パネル２０の上端縁２０ｅｕが、上側の第２太陽光パネル２０の上端縁２０ｅｕの位置から位置決め用基準面３に沿う方向の下方に距離Ｄ２（＝Ｌ２／ｃｏｓ（θｗ−α））以上離れた位置に連結されていると良い。このようにすれば、日中に傾き角度θ２がθｗに設定された際の第２太陽光パネル２０の影が、その下方に隣り合う第２太陽光パネル２０の受光面２０ａにかかることを、少なくとも冬至の日については回避可能となる。詳しくは次の通りである。
【００６９】
先ず、この距離Ｄ２に係るＬ２／ｃｏｓ（θｗ−α）という数式は、図６を参照してわかるように、冬至の南中時に位置決め用基準面３上に形成される第２太陽光パネル２０の影の長さを表している。そして、この冬至の南中時というのは、冬至の日のうちで位置決め用基準面３に形成される影の長さが最長になる時刻である。そのため、上記のように第２太陽光パネル２０，２０同士を距離Ｄ２以上離しておけば、日中に傾き角度θ２がθｗに設定された際の第２太陽光パネル２０の影が、その下方に隣り合う第２太陽光パネル２０の受光面２０ａにかかることを、少なくとも冬至の日については回避可能となり、結果、同冬至の日については、下側の第２太陽光パネル２０の受光面２０ａは、その上方の第２太陽光パネル２０の影の影響から解放される。
【００７０】
なお、図１Ａの例では、第２太陽光パネル２０の長さＬ２は、全ての第２太陽光パネル２０，２０…に亘り同寸に揃っているため、上記の距離Ｄ２（＝Ｌ２／ｃｏｓ（θｗ−α））の値も、全ての第２太陽光パネル２０，２０…に関して同値となる。そして、図１Ａの例では、第１太陽光パネル１０，１０同士の間の各第２太陽光パネル２０は、距離Ｄ２以上となる所定値Ｐ２を、位置決め用基準面３上の上下方向の配置ピッチとして配置されており、これにより各第２太陽光パネル２０，２０…は、それぞれ自身よりも上方に位置する第２太陽光パネル２０の影の影響から解放されている。また、上述のように距離Ｄ２以上離間していれば、必然的に長さＬ２以上離間していることになるので、図１Ｂの遮光状態の際に上下方向に隣り合う第２太陽光パネル２０，２０同士が干渉し合うことも確実に防止される。
【００７１】
また、位置決め用基準面３の面積に余裕が有る場合には、上述の距離Ｄ２を更に拡大して、つまり距離Ｄ２を下式１から得られる値にしても良い。  
Ｄ２＝Ｌ２×ｃｏｓ（θｗ−α）
＋Ｌ２×ｔａｎ（θｍ−α）×ｓｉｎ（θｗ−α）  …  （１）
【００７２】
ここで、かかる式１は、図７に示すように、春分の日又は秋分の日の南中時に位置決め用基準面３上に形成される第２太陽光パネル２０の影の長さを示している。そして、この春分の日又は秋分の日の南中時の影の長さは、冬期のうちで最長である。従って、下側の第２太陽光パネル２０の上端縁２０ｅｕを、上側の第２太陽光パネル２０の上端縁２０ｅｕの位置から位置決め用基準面３に沿う方向の下方に、当該距離Ｄ２以上離れた位置に連結すれば、冬期の全ての日に亘って、日中に傾き角度θ２がθｗに設定された際の第２太陽光パネル２０の影が、その下方に隣り合う第２太陽光パネル２０の受光面２０ａにかかることを回避可能となる。その結果、冬期に特化した第２太陽光パネル２０を有効に使用して冬期の発電量を効果的に増やすことができる。なお、上式１は、図７の幾何学的関係から得ることができる。
【００７３】
ところで、上述のように第２太陽光パネル２０を第１太陽光パネル１０，１０同士の間に配置している場合には、第１太陽光パネル１０の影が第２太陽光パネル２０の受光面２０ａにかかる虞や、或いは第２太陽光パネル２０の影が第１太陽光パネル１０の受光面１０ａにかかる虞がある。例えば、第１太陽光パネル１０の下方の隣に第２太陽光パネル２０が位置している場合には、第１太陽光パネル１０の影が第２太陽光パネル２０の受光面２０ａにかかる虞があり、逆に、第２太陽光パネル２０の下方の隣に第１太陽光パネル１０が位置している場合には、第２太陽光パネル２０の影が第１太陽光パネル１０の受光面１０ａにかかる虞がある。
【００７４】
そのため、これら互いに上下方向に隣り合う第１太陽光パネル１０と第２太陽光パネル２０との位置関係に関しても、上述と同様に受光面１０ａ，２０ａへの影の影響を考慮して、第１太陽光パネル１０と第２太陽光パネル２０との間の距離を設定するのが望ましい。以下では、図８Ａのように第１太陽光パネル１０の下方の隣に第２太陽光パネル２０が位置している場合において互いの間で離すべき距離の下限値のことを、「距離Ｄ１２」と言い、また図８Ｂのように第２太陽光パネル２０の下方の隣に第１太陽光パネル１０が位置している場合において互いの間で離すべき距離の下限値のことを、「距離Ｄ２１」と言う。
【００７５】
先ず、図８Ａを参照しつつ距離Ｄ１２について説明すると、第２太陽光パネル２０は冬期に有効に発電すべきである。また、この冬期において第１太陽光パネル１０の影が最長になるのは、春分の日或いは秋分の日の南中時である。そして、この最長の長さは、幾何学的関係から、前述の式１中の「θｗ」をθｓに置き換えるとともに、同式１中の「Ｌ２」をＬ１に置き換えれば得ることができ、当該最長の長さが距離Ｄ１２に相当するので、当該距離Ｄ１２は下式２で表される。  
Ｄ１２＝Ｌ１×ｃｏｓ（θｓ−α）
＋Ｌ１×ｔａｎ（θｍ−α）×ｓｉｎ（θｓ−α）  …  （２）
【００７６】
よって、下側の第２太陽光パネル２０の上端縁２０ｅｕが、上側の第１太陽光パネル１０の上端縁１０ｅｕの位置から位置決め用基準面３に沿う方向の下方に距離Ｄ１２以上離れた位置に連結されていれば、日中に傾き角度θ１がθｓに設定された際の第１太陽光パネル１０の影が、その下方に隣り合う第２太陽光パネル２０の受光面２０ａにかかることを、冬期の全ての日に亘って回避可能となる。また、上述のように距離Ｄ１２以上離間していれば、必然的に長さＬ１以上離間していることになるので、図１Ｂの遮光状態の際に上下方向に隣り合う第１太陽光パネル１０と第２太陽光パネル２０とが干渉し合うことも確実に防止される。
【００７７】
次に、図８Ｂ参照しつつ距離Ｄ２１について説明すると、第１太陽光パネル１０は夏期に有効に発電すべきである。また、この夏期において第２太陽光パネル２０の影が最長になるのは、夏至の南中時である。そして、この最長の長さは、前述の式１中の「θｍ」をθｓに置き換えれば得ることができ、当該最長の長さが距離Ｄ２１に相当するので、当該距離Ｄ２１は下式３で表される。  
Ｄ２１＝Ｌ２×ｃｏｓ（θｗ−α）
＋Ｌ２×ｔａｎ（θｓ−α）×ｓｉｎ（θｗ−α）  …  （３）
【００７８】
よって、下側の第１太陽光パネル１０の上端縁１０ｅｕが、上側の第２太陽光パネル２０の上端縁２０ｅｕの位置から位置決め用基準面３に沿う方向の下方に距離Ｄ２１以上離れた位置に連結されていれば、日中に傾き角度θ２がθｗに設定された際の第２太陽光パネル２０の影が、その下方に隣り合う第１太陽光パネル１０の受光面１０ａにかかることを、夏期の全ての日に亘って回避可能となる。また、上述のように距離Ｄ２１以上離間していれば、必然的に長さＬ２以上離間していることになるので、図１Ｂの遮光状態の際に上下方向に隣り合う第２太陽光パネル２０と第１太陽光パネル１０とが干渉し合うことも確実に防止される。
【００７９】
このような第１態様に係る位置決め用基準面３、つまり略鉛直面部４の具体例としては、建物の鉛直な外壁面や急勾配で傾斜した外壁面などが挙げられる。但し、位置決め用基準面３は、現実に第１及び第２太陽光パネル１０，２０を取り付け可能な取り付け対象面３ａで無くても良く、つまり現実には存在しない仮想面であっても良い。例えば、全面ガラス張りの建物の如く、外壁部の代用としてガラス板（ガラス部）９が使用されている場合には、図９に示すように当該ガラス板９よりも屋内側の位置に第１太陽光パネル１０，１０…及び第２太陽光パネル２０，２０…を配置することも想定される。そして、かかる場合には、これら第１及び第２太陽光パネル１０，２０は、屋内の柱８ａや梁８ｂに設けられた適宜なステイ部材（不図示）に支持されることもあり得て、そうすると、取り付け対象面３ａに相当する構成が存在しなくても良いことになるが、その場合には、位置決め用基準面３を仮想面と考えれば良い。
【００８０】
＜＜＜第２態様＞＞＞
次に第２態様について説明する。図１０及び図１１に示す第２態様は、既述のように建物の略斜面部５を位置決め用基準面３としており、換言すると、位置決め用基準面３の傾き角度αが、θｗ＜α＜θｓの範囲（東京では、３２°＜α＜７８°）の任意の値に設定されている。そして、位置決め用基準面３には、第１太陽光パネル１０と第２太陽光パネル２０とが上下方向に交互に並んで配置されている。
【００８１】
ここで、第１太陽光パネル１０は、その上端縁１０ｅｕにて位置決め用基準面３に連結され、そして、この上端縁１０ｅｕよりも下端縁１０ｅｄの方が位置決め用基準面３の法線方向の外方に位置して設けられており、これにより、鉛直面Ａｓの下方に対する傾き角度θ１は、αとθｓとの間の角度範囲を変更可能とされている。また、第２太陽光パネル２０の方は、その下端縁２０ｅｄにて位置決め用基準面３に連結され、そして、この下端縁２０ｅｄよりも上端縁２０ｅｕの方が位置決め用基準面３の法線方向の外方に位置して設けられており、これにより、鉛直面Ａｓの下方に対する傾き角度θ２は、θｗとαとの間の角度範囲を変更可能とされている。そして、自由端たる第１太陽光パネル１０の下端縁１０ｅｄと第２太陽光パネル２０の上端縁２０ｅｕとは互いに連結されていて、これにより、第１太陽光パネル１０と第２太陽光パネル２０とが一つずつ組み合わされて一つの断面Ｖ字状のパネル対Ｇ１２（太陽光部材対に相当）が形成されている。
【００８２】
よって、傾き角度αが、θｗ＜α＜θｓの（東京では、３２°＜α＜７８°）の条件を満足するような位置決め用基準面３であれば、上記のような構成の第１太陽光パネル１０と第２太陽光パネル２０とを問題無く同位置決め用基準面３に位置させながら取り付け可能である。すなわち、この条件を満足しない場合には、少なくとも図１２Ａ又は図１２Ｂのように傾き角θ１及び傾き角θ２がそれぞれθｓ及びθｗに設定された際に、パネル対Ｇ１２の上端縁１０ｅｕ又は下端縁２０ｅｄのどちらか一方が、位置決め用基準面３から浮いて離間してしまい、これによりパネル対Ｇ１２を安定支持できなくなるが、この点につき、上記条件を満足すれば、パネル対Ｇ１２の上端縁１０ｅｕ及び下端縁２０ｅｄの両方を位置決め用基準面３上に位置させることができて、結果、支持安定性に長けたものとなる。
【００８３】
詳しく説明すると、位置決め用基準面３は、前述したようにガラス面９ａ等の現実の取り付け対象面３ａである場合もあり得る。すると、αが上記条件を低い側に外れるθｗ≧α（東京では、３２°≧α）の場合において、図１２Ａのように傾き角θ１及び傾き角θ２がそれぞれθｓ及びθｗに設定されると、パネル対Ｇ１２の下端縁２０ｅｄが取り付け対象面３ａから浮いて離間してしまい、支持安定性の点で問題となる。また、αが上記条件を高い側に外れるα≧θｓ（東京では、α≧７８°）の場合にも、図１２Ｂのように傾き角θ１及び傾き角θ２がそれぞれθｓ及びθｗに設定された際に、パネル対Ｇ１２の上端縁１０ｅｕが取り付け対象面３ａから浮いて離間してしまい、支持安定性の点で問題となる。この点につき、上記条件を満足すれば、これらの問題を回避可能である。すなわち、パネル対Ｇ１２の上端縁１０ｅｕ及び下端縁２０ｅｄの両者を取り付け対象面３ａに確実に位置させて連結可能となり、結果、支持安定性に長けたものとなる。但し、図１２Ａや図１２Ｂのような構成は、意匠的に面白いものであり、よって、当該意匠性が支持安定性よりも優先される場合には、図１２Ａや図１２Ｂのように構成しても良い。
【００８４】
かかる位置決め用基準面３には、図１０及び図１１に示すように複数のパネル対Ｇ１２，Ｇ１２…が、位置決め用基準面３に沿った上下方向に並んで設けられている。そして、各第１太陽光パネル１０は、回動機構によって各パネル１０の上端縁１０ｅｕ周りに回動可能に構成され、また、各第２太陽光パネル２０は、同回動機構によって各パネル２０の下端縁２０ｅｄ周りに回動可能に構成され、更に、同回動機構により、傾き角度θ１及び傾き角度θ２が、それぞれα≦θ１≦θｓの角度範囲及びθｗ≦θ２≦αの角度範囲で変更される。
【００８５】
以下、この回動機構（第１回動機構及び第２回動機構に相当）の構成について詳しく説明する。この図１０及び図１１の例では、先ず、第１太陽光パネル１０の下端縁１０ｅｄと第２太陽光パネル２０の上端縁２０ｅｕとが、第１連結部の一例としての第１ヒンジ部材１４を介して連結されており、これにより互いの間の相対回転が許容されている。また、位置決め用基準面３には、同面３に沿う方向に上下にスライド移動可能にスライダー１５ａが設けられており、当該スライダー１５ａには、第２ヒンジ部材１５ｂ（スライダー１５ａと組み合わせられることで「第２連結部」に相当する）を介して第１太陽光パネル１０の上端縁１０ｅｕが互いの間の相対回転を許容されつつ連結されている。更に、位置決め用基準面３には第３ヒンジ部材１６がスライド移動不能に固定されており、同第３ヒンジ部材１６を介して、第２太陽光パネル２０の下端縁２０ｅｄが相対回転を許容されつつ連結されている。よって、スライダー１５ａを、電動モータ等の適宜な駆動源で駆動することにより、パネル対Ｇ１２を第１ヒンジ部材１４の位置でＶ字状に屈曲したり一直線状に延ばしたりすることが可能であり、つまり、このＶ字状の屈曲角度の変更を通して、第１太陽光パネル１０の傾き角度θ１及び第２太陽光パネル２０の傾き角度θ２の両者を一斉に変更可能である。例えば、図１０に示すようにスライダー１５ａを下方へ移動すれば、θ１を増加方向に変更するとともにθ２を減少方向に変更することができ、逆に、図１１に示すようにスライダー１５ａを上方へ移動すればθ１を減少方向に変更するとともにθ２を増加方向に変更することができる。
【００８６】
よって、日の出時間帯から南中時間帯への移行時間帯の間に、図１１の状態から図１０の状態へとスライダー１５ａを位置決め用基準面３に沿って下方へスライド移動すれば、第１太陽光パネル１０の傾き角度θ１を、αからθｓへと漸増させることができるとともに、第２太陽光パネル１０の傾き角度θ２については、αからθｗへと漸減させることができる。また、南中時間帯から日の入り時間帯への移行時間帯の間に、図１０の状態から図１１の状態へとスライダー１５ａを上方へスライド移動すれば、第１太陽光パネル１０の傾き角度θ１を、θｓからαへと漸減させることができるとともに、第２太陽光パネル２０の傾き角度θ２については、θｗからαへと漸増させることができる。  
そして、これにより、日の出時間帯及び日の入り時間帯に対応させて、第１太陽光パネル１０及び第２太陽光パネル２０を図１１の遮光状態にすることができ、また、南中時間帯に対応させて、第１太陽光パネル１０及び第２太陽光パネル２０を図１０の採光状態にすることができる。そして、当該図１０の採光状態にあっては、第１太陽光パネル１０の傾き角度θ１及び第２太陽光パネル２０の傾き角度θ２は、それぞれθｓ及びθｗに設定されているので、夏期及び冬期の両者において高いエネルギー変換効率で発電される。
【００８７】
上記の電動モータ等の駆動源の制御は、例えばコンピュータ等の制御部（不図示）により行われる。制御部は、ハードディスク等の記憶部を有し、また、同記憶部内には、第１及び第２太陽光パネル１０，２０の回動制御用データとして、年間の全ての日に亘って、日毎に、一日の各時刻にスライダー１５ａの各位置の設定値を対応付けてなるスライダー位置設定値データが格納されている。そして、このスライダー位置設定値データが有する上記スライダー１５ａの各位置の設定値は、各時刻に設定されるべき傾き角度θ１，θ２に対応させて予め設定されている。よって、制御部のプロセッサが、かかるデータに基づいて駆動源に回動角度の制御信号を送信することにより、パネル対Ｇ１２は、上述したような遮光状態と採光状態とを繰り返し行う。すなわち、日の出時間帯には、傾き角度θ１及び傾き角度θ２は、どちらもαに設定されて図１１のような遮光状態となり、また、南中時間帯には、傾き角度θ１及び傾き角度θ２は、それぞれθｓ及びθｗに設定されて図１０のような採光状態となり、更には、日の入り時間帯には、傾き角度θ１及び傾き角度θ２のどちらもαに設定されて図１１のような遮光状態となる。そして、このように動作すれば、前述のように、年間を通して高いエネルギー変換効率で太陽光から電気を生成しつつ、建物内への朝日や夕日を確実に遮光しながらも、日中の採光状態を、年間を通して略一定に維持可能となる。
【００８８】
ちなみに、日の出時間帯と南中時間帯との間に位置する移行時間帯については、傾き角度θ１及び傾き角度θ２を、それぞれ南中時間帯と同値のθｓ及びθｗに固定して設定しても良いし、或いは、時刻の経過と伴に、傾き角度θ１についてはαからθｓへと漸増変更するとともに、傾き角度θ２についてはαからθｗへと漸減変更しても良い。同様に、南中時間帯と日の入り時間帯との間に位置する移行時間帯については、傾き角度θ１及び傾き角度θ２を、それぞれ南中時間帯と同値のθｓ及びθｗに固定して設定しても良いし、或いは、時刻の経過と伴に、傾き角度θ１についてはθｓからαへと漸減変更するとともに、傾き角度θ２についてはθｗからαへと漸増変更しても良い。更に、日の入り時間帯から日付変更時刻たる午前０時までの時間帯、及び午前０時から日の出時間帯までの時間帯については、傾き角度θ１及び傾き角度θ２を、そのままαに維持しても良いし、或いは、αよりも大きい角度に変更しても良いが、かかる変更した場合にあっても、日の出時間帯までにはαに戻されることになる。
【００８９】
このような第２態様に係る位置決め用基準面３、つまり略斜面部５の具体例としては、建物の傾斜した外壁面、傾斜した屋根面などが挙げられる。但し、第１態様で述べたのと同様に、位置決め用基準面３は、現実に第１及び第２太陽光パネル１０，２０を取り付け可能な取り付け対象面３ａで無くても良く、つまり現実には存在しない仮想面であっても良い。例えば、図１３に示すように、傾斜した窓部のガラス部９よりも屋内側の位置に第１太陽光パネル１０，１０…及び第２太陽光パネル２０，２０…を配置する場合には、これら太陽光パネル１０，２０は、屋内の柱や梁８ｂに設けられた適宜なステイ部材（不図示）に支持されることもあり得て、そうすると、取り付け対象面３ａに相当する構成が存在しなくても良いことになるが、その場合には、位置決め用基準面３を仮想面と考えれば良い。
【００９０】
ところで、図１０の例では、かかるパネル対Ｇ１２，Ｇ１２…は、位置決め用基準面３上、つまり位置決め用基準面３上における同面３に沿う方向に複数配置されているが、位置決め用基準面３に沿う方向のパネル対Ｇ１２，Ｇ１２…の配置ピッチＰ１２は、Ｌ１＋Ｌ２以上の値に設定されていると良い。そして、このように設定すれば、パネル対Ｇ１２のスライド移動時に、上下に隣り合うパネル対Ｇ１２，Ｇ１２同士が干渉することは有効に回避され、これにより、第１太陽光パネル１０及び第２太陽光パネル２０は円滑に回動動作をすることができる。その結果、これら各太陽光パネル１０，２０は、遮光状態と採光状態との間を円滑に移行可能となる。
【００９１】
また、上述の図１０及び図１１の例では、第１太陽光パネル１０の上端縁１０ｅｕに対してスライダー１５ａ及び第２ヒンジ部材１５ｂを設けて同上端縁１０ｅｕをスライド移動可能に構成するとともに、第２太陽光パネル２０の下端縁２０ｅｄには第３ヒンジ部材１６を設けて同下端縁２０ｅｄをスライド移動不能に構成していたが、何等これに限るものではなく、逆にしても良い。すなわち、第１太陽光パネル１０の上端縁１０ｅｕには第３ヒンジ部材１６を設けて同上端縁１０ｅｕをスライド移動不能に構成するとともに、第２太陽光パネル２０の下端縁２０ｅｄにはスライダー１５ａ及び第２ヒンジ部材１５ｂを設けて同下端縁２０ｅｄをスライド移動可能に構成しても良い。
【００９２】
＜＜＜第３態様＞＞＞
最後に第３態様について説明する。図１４に示す第３態様は、既述のように建物の略水平面部６を位置決め用基準面３としており、換言すると、位置決め用基準面３の傾き角度αが、θｓ＜α＜θｗ＋９０°の範囲（東京では、７８°＜α＜１２２°）の任意の値に設定されている。そして、位置決め用基準面３には、複数の第１太陽光パネル１０，１０…と複数の第２太陽光パネル２０，２０…とが、ルーバー状に側方方向の内外（南北方向）に並んで配置されている。
【００９３】
ここで、図１４及び図１５に示すように、第１太陽光パネル１０は、側方方向の外端縁１０ｅｓにて位置決め用基準面３に連結されて片持ち支持されており、つまり、この外端縁１０ｅｓよりも側方方向の内方に位置する内端縁１０ｅｎの方が位置決め用基準面３の法線方向の外方に位置して設けられており、これにより、鉛直面Ａｓの下方に対する傾き角度θ１は、θｓとαとの間の角度範囲を変更可能とされている。また、第２太陽光パネル２０の方も、側方方向の外端縁２０ｅｓにて位置決め用基準面３に連結されて片持ち支持されており、つまり、この外端縁２０ｅｓよりも側方方向の内方に位置する内端縁２０ｅｎの方が位置決め用基準面３の法線方向の外方に位置して設けられており、これにより、鉛直面Ａｓの下方に対する傾き角度θ２は、θｗとαとの間の角度範囲を変更可能とされている。
【００９４】
よって、傾き角度αが、θｓ＜α＜θｗ＋９０°（東京では、７８°＜α＜１２２°）の条件を満足するような位置決め用基準面３であれば、上記のような構成の第１太陽光パネル１０と第２太陽光パネル２０とを同位置決め用基準面３に問題無く位置させながら取り付け可能である。詳しく説明すると、先ず、前述したように、位置決め用基準面３は、現実の取り付け対象面３ａである場合もあり得る。つまり現実のガラス面９ａとして存在する場合もあり得る。すると、αが上記条件を高い側に外れるα≧θｗ＋９０°（東京での数値例：α≧１２２°）の場合において、図１６Ａに示すように、冬至の南中時の太陽の仰角θｗたる冬至仰角θｗ（東京では、θｗ＝３２°）の時に傾き角度θ２がθｗに設定されると、第２太陽光パネル２０の受光面２０ａの一部に取り付け対象面３ａの影が入ってしまい問題となる。また、αが上記条件を低い側に外れるθｓ≧α（東京では、７８°≧α）の場合には、取り付け対象面３ａに第１太陽光パネル１０を取り付けようとすると、図１６Ｂに示すように、少なくとも傾き角度θ１が変更可能な角度範囲のうちのθｓの時に、第１太陽光パネル１０における側方方向の内方部分１０ｓが取り付け対象面３ａと干渉してしまい、取り付け困難の問題を生じる。この点につき、上記条件を満足すれば、これらの問題を回避可能である。すなわち、取り付け対象面３ａの傾き角度αが、θｓ＜α＜θｗ＋９０°（東京では、７８°＜α＜１２２°）の条件を満たせば、取り付け対象面３ａの影が第２太陽光パネル２０の受光面２０ａにかかることを回避しつつ、取り付け対象面３ａに確実且つ容易に第１太陽光パネル１０を取り付け可能となる。
【００９５】
かかる取り付け対象面３ａたる位置決め用基準面３には、図１４及び図１５に示すように複数の第１太陽光パネル１０，１０…、及び第２太陽光パネル２０，２０…が設けられている。そして、各太陽光パネル１０，２０は、それぞれ回動機構によって各パネル１０，２０の外端縁１０ｅｓ，２０ｅｓを回転軸として回動可能に構成され、また、同回動機構により、傾き角度θ１及び傾き角度θ２が、それぞれθｓ≦θ１≦αの角度範囲及びθｗ≦θ２≦αの角度範囲で変更される。
【００９６】
第１太陽光パネル１０用の回動機構（第１回動機構に相当）としては、図１４及び図１５に示すように、第１太陽光パネル１０の外端縁１０ｅｓを回転軸として当該第１太陽光パネル１０を回転可能に支持するヒンジ部材等の軸支部材１８と、当該外端縁１０ｅｓ周りに第１太陽光パネル１０を回動する電動モータ等の駆動源（不図示）と、駆動源を制御するコンピュータ等の制御部（不図示）と、を例示することができる。
【００９７】
同様に、第２太陽光パネル２０用の回動機構（第２回動機構に相当）としては、第２太陽光パネル２０の外端縁２０ｅｓを回転軸として当該第２太陽光パネル２０を回転可能に支持するヒンジ部材等の軸支部材２８と、当該外端縁２０ｅｓ周りに第２太陽光パネル２０を回動する電動モータ等の駆動源（不図示）と、駆動源を制御するコンピュータ等の制御部（不図示）と、を例示することができる。  
そして、どちらの制御部にあっても、ハードディスク等の記憶部を有し、また、同記憶部内には、第１太陽光パネル１０の回動制御用データとして、年間の全ての日に亘って、日毎に、一日の各時刻に傾き角度θ１の設定値を対応付けてなる傾き角度θ１設定値データが格納されており、同様に、第２太陽光パネル２０の回動制御用データとして、年間の全ての日に亘って、日毎に、一日の各時刻に傾き角度θ２の設定値を対応付けてなる傾き角度θ２設定値データが格納されている。よって、制御部のプロセッサが、かかるデータに基づいて駆動源に回動角度の制御信号を送信することにより、傾き角度θ１，θ２の変更が行われる。  
例えば、日の出時間帯には、傾き角度θ１及び傾き角度θ２は、どちらもαに設定されて図１５のような遮光状態になり、また、南中時時間帯には、傾き角度θ１及び傾き角度θ２は、それぞれθｓ及びθｗに設定されて図１４のような採光状態になり、更には、日の入り時間帯には、傾き角度θ１及び傾き角度θ２のどちらもαに設定されて図１５のような遮光状態になる。そして、このように動作すれば、前述のように、年間を通して高いエネルギー変換効率で太陽光から電気を生成しつつ、建物内への朝日や夕日を確実に遮光しながらも、日中の採光状態を、年間を通して略一定に維持可能となる。
【００９８】
なお、日の出時間帯と南中時間帯との間に位置する移行時間帯については、傾き角度θ１及び傾き角度θ２を、それぞれ南中時間帯と同値のθｓ及びθｗに固定して設定しても良いし、或いは、時刻の経過と伴に、傾き角度θ１についてはαからθｓへと、また傾き角度θ２についてはαからθｗへと漸減変更しても良い。同様に、南中時間帯と日の入り時間帯との間に位置する移行時間帯については、傾き角度θ１及び傾き角度θ２を、それぞれ南中時間帯と同値のθｓ及びθｗに固定して設定しても良いし、或いは、時刻の経過と伴に、傾き角度θ１についてはθｓからαへと、また傾き角度θ２についてはθｗからαへと漸増変更しても良い。更に、日の入り時間帯から日付変更時刻たる午前０時までの時間帯、及び午前０時から日の出時間帯までの時間帯については、傾き角度θ１及び傾き角度θ２を、そのままαに維持しても良いし、或いは、αよりも大きい角度に変更しても良いが、かかる変更した場合にあっても、日の出時間帯までにはαに戻されることになる。
【００９９】
ところで、図１４の例では、位置決め用基準面３に、複数の第２太陽光パネル２０，２０…が設けられており、各第２太陽光パネル２０は、それぞれ側方方向に隣り合う第２太陽光パネル２０との間に間隔を空けて配置されている。そして、この間隔に関しては、次のように設定すると良い。すなわち、図１７に示すように、側方方向に隣り合う第２太陽光パネル２０，２０同士のうちで、外側の第２太陽光パネル２０の外端縁２０ｅｓと内端縁２０ｅｎとの間の長さをＬ２とした場合に、内側の第２太陽光パネル２０の外端縁２０ｅｓが、外側の第２太陽光パネル２０の外端縁２０ｅｓの位置から位置決め用基準面３に沿う方向の内方に距離Ｄ２’（＝Ｌ２／ｃｏｓ（α−θｗ））以上離れた位置に連結されていると良い。そうすれば、南中時に傾き角度θ２がθｗに設定された際の第２太陽光パネル２０の影が、側方方向の内側に隣り合う第２太陽光パネル２０の受光面２０ａにかかることを、年間を通じて回避可能となる。詳しくは次の通りである。
【０１００】
先ず、この距離Ｄ２’に係るＬ２／ｃｏｓ（α−θｗ）という数式は、図１７を参照してわかるように、冬至の南中時に位置決め用基準面３上に形成される第２太陽光パネル２０の影の長さを表している。そして、この冬至の南中時が、年間の南中時のうちで太陽の高度が最も低いことから、第３態様の如き略水平面部６上に形成される影の場合には、この冬至の南中時の影の長さが、年間の全ての南中時のうちで最長のものとなる。そのため、上記のように第２太陽光パネル２０，２０同士を距離Ｄ２’以上離しておけば、日中に傾き角度θ２がθｗに設定された際の第２太陽光パネル２０の影が、側方方向の内側に隣り合う第２太陽光パネル２０の受光面２０ａにかかることを、年間の全ての南中時について回避可能となり、結果、内側の第２太陽光パネル２０の受光面２０ａは、年間の全ての南中時に亘ってその外側の第２太陽光パネル２０の影の影響から解放される。
【０１０１】
なお、図１７の例では、第２太陽光パネル２０の長さＬ２は、全ての第２太陽光パネル２０に亘り同寸に揃っているため、上記の距離Ｄ２’（＝Ｌ２／ｃｏｓ（α−θｗ））の値は、全ての第２太陽光パネル２０，２０…に関して同値となる。そして、図１７の例では、全ての第２太陽光パネル２０，２０…は、距離Ｄ２’以上となる所定値Ｐ２’を、位置決め用基準面３上の側方方向の配置ピッチとして配置されており、これにより各第２太陽光パネル２０，２０…は、それぞれ自身よりも外側に位置する第２太陽光パネル２０の南中時の影の影響から解放されている。また、上述のように距離Ｄ２’以上離間していれば、必然的に長さＬ２以上離間していることになるので、図１５の遮光状態の際に側方方向に隣り合う第２太陽光パネル２０，２０同士が干渉し合うことも確実に防止される。
【０１０２】
他方、位置決め用基準面３には第１太陽光パネル１０，１０…も設けられている。そして、図１７の例では、側方方向に隣り合う第２太陽光パネル２０，２０同士の間の位置に、第１太陽光パネル１０が設けられている。ここで、同位置に第１太陽光パネル１０が設けられている理由は、次の通りである。図１８Ａに示すように、この位置決め用基準面３における第２太陽光パネル２０，２０同士の間の位置というのは、第２太陽光パネル２０のエネルギー変換効率が高い冬期には、第２太陽光パネル２０の影が出来やすい部分である。そのため、冬期にはデッドスペースとなる。但し、図１８Ｂに示すように、夏期にあっては、冬期と比べて太陽の高度が高くなることから、第２太陽光パネル２０の影は小さくなって当該影が出来難くなる。そのため、夏期に特化した第１太陽光パネル１０にあっては、第２太陽光パネル２０，２０同士の間の位置に配置可能であり、配置すれば、夏期に高いエネルギー変換効率で太陽光を電気に変換して夏期の発電量を増やすことができて、かような理由から、第２太陽光パネル２０，２０同士の間の位置に第１太陽光パネル１０を配置している。
【０１０３】
この例では、図１７に示すように、側方方向に隣り合う第２太陽光パネル２０，２０同士の間の位置に、複数の一例として三つの第１太陽光パネル１０，１０，１０が側方方向に整列して配置されているが、何等これに限らず、一つや二つでも良いし、四つ以上でも良い。なお、第１太陽光パネル１０を複数設ける場合には、上述の第２太陽光パネル２０の場合と同様に、受光面１０ａへの影の影響が小さくなるように考慮して第１太陽光パネル１０，１０同士の間の距離が設定されるのが望ましい。
【０１０４】
すなわち、図１９に示すように、側方方向に隣り合う第１太陽光パネル１０，１０同士のうちで、側方方向の外側の第１太陽光パネル１０の外端縁１０ｅｓと内端縁１０ｅｎとの間の長さをＬ１とした場合に、内側の第１太陽光パネル１０の外端縁１０ｅｓが、外側の第１太陽光パネル１０の外端縁１０ｅｓの位置から位置決め用基準面３に沿う方向の内方に距離Ｄ１’（＝Ｌ１／ｃｏｓ（α−θｓ））以上離れた位置に連結されていると良い。このようにすれば、日中に傾き角度θ１がθｓに設定された際の第１太陽光パネル１０の影が、その内方に隣り合う第１太陽光パネル１０の受光面１０ａにかかることを、少なくとも夏至の日の南中時については回避可能となる。詳しくは次の通りである。
【０１０５】
先ず、この距離Ｄ１’に係るＬ１／ｃｏｓ（α−θｓ）という数式は、図１９を参照してわかるように、夏至の南中時に位置決め用基準面３上に形成される第１太陽光パネル１０の影の長さを表している。そのため、上記のように第１太陽光パネル１０，１０同士を距離Ｄ１’以上離しておけば、日中に傾き角度θ１がθｓに設定された際の第１太陽光パネル１０の影が、その内方に隣り合う第１太陽光パネル１０の受光面１０ａにかかることを、少なくとも夏至の日の南中時については回避可能となり、結果、同夏至の日の南中時については、内側の第１太陽光パネル１０の受光面１０ａは、その外側の第１太陽光パネル１０の影の影響から解放される。
【０１０６】
なお、図１７の例では、第１太陽光パネル１０の長さＬ１は、全ての第１太陽光パネル１０，１０…に亘り同寸に揃っているため、上記の距離Ｄ１’（＝Ｌ１／ｃｏｓ（α−θｓ））の値は、全ての第１太陽光パネル１０，１０…に関して同値となる。そして、図１７の例では、第２太陽光パネル２０，２０同士の間の各第１太陽光パネル１０は、距離Ｄ１’以上となる所定値Ｐ１’を、位置決め用基準面３上の側方方向の配置ピッチとして配置されており、これにより各第１太陽光パネル１０，１０…は、それぞれ自身よりも外方に位置する第１太陽光パネル１０の影の影響から解放されている。また、上述のように距離Ｄ１’以上離間していれば、必然的に長さＬ１以上離間していることになるので、図１５の遮光状態の際に側方方向に隣り合う第１太陽光パネル１０，１０同士が干渉し合うことも確実に防止される。
【０１０７】
また、位置決め用基準面３の面積に余裕が有る場合には、上述の距離Ｄ１’を更に拡大して、つまり距離Ｄ１’を下式４から得られる値にしても良い。  
Ｄ１’＝Ｌ１×ｃｏｓ（α−θｓ）
＋Ｌ１×ｔａｎ（α−θｍ）×ｓｉｎ（α−θｓ）    …  （４）
【０１０８】
ここで、かかる式４は、図２０に示すように、春分の日又は秋分の日の南中時に位置決め用基準面３上に形成される第１太陽光パネル１０の影の長さを示している。そして、この春分の日又は秋分の日の南中時の影の長さは、夏期の南中時のうちで最長である。従って、側方方向の内側の第１太陽光パネル１０の外端縁１０ｅｓを、外側の第１太陽光パネル１０の外端縁１０ｅｓの位置から位置決め用基準面３に沿う方向の内方に、当該距離Ｄ１’以上離れた位置に連結すれば、夏期の全ての南中時に亘って、日中に傾き角度θ１がθｓに設定された際の第１太陽光パネル１０の影が、その側方方向の内方に隣り合う第１太陽光パネル１０の受光面１０ａにかかることを回避可能となる。その結果、夏期に特化した第１太陽光パネル１０を有効に使用して夏期の発電量を効果的に増やすことができる。なお、上式４は、図２０の幾何学的関係から得ることができる。
【０１０９】
ところで、上述のように第１太陽光パネル１０を第２太陽光パネル２０，２０同士の間に配置している場合には、第２太陽光パネル２０の影が第１太陽光パネル１０の受光面１０ａにかかる虞や、或いは第１太陽光パネル１０の影が第２太陽光パネル２０の受光面２０ａにかかる虞がある。例えば、第２太陽光パネル２０の側方方向の内方の隣に第１太陽光パネル１０が位置している場合には、第２太陽光パネル２０の影が第１太陽光パネル１０の受光面１０ａにかかる虞があり、逆に、第１太陽光パネル１０の側方方向の内方の隣に第２太陽光パネル２０が位置している場合には、第１太陽光パネル１０の影が第２太陽光パネル２０の受光面２０ａにかかる虞がある。
【０１１０】
そのため、これら互いに側方方向に隣り合う第１太陽光パネル１０と第２太陽光パネルとの位置関係に関しても、同様に受光面１０ａ，２０ａへの影の影響を考慮して、第１太陽光パネル１０と第２太陽光パネル２０との間の距離を設定するのが望ましい。以下では、図２１Ａのように第１太陽光パネル１０の内方の隣に第２太陽光パネル２０が位置している場合において互いの間で離すべき距離の下限値のことを、「距離Ｄ１２’」と言い、また図２１Ｂのように第２太陽光パネル２０の内方の隣に第１太陽光パネル１０が位置している場合において互いの間で離すべき距離の下限値のことを、「距離Ｄ２１’」と言う。
【０１１１】
先ず、図２１Ａを参照しつつ距離Ｄ１２’について説明すると、第２太陽光パネル２０は冬期に有効に発電すべきである。また、この冬期の南中時において第１太陽光パネル１０の影が最長になるのは、冬至の日である。そして、この最長の長さは、幾何学的関係から、前述の式４中の「θｍ」をθｗに置き換えれば得ることができ、当該最長の長さが距離Ｄ１２’に相当するので、当該距離Ｄ１２’は下式５で表される。  
Ｄ１２’＝Ｌ１×ｃｏｓ（α−θｓ）
＋Ｌ１×ｔａｎ（α−θｗ）×ｓｉｎ（α−θｓ）    …  （５）
【０１１２】
よって、側方方向の内側の第２太陽光パネル２０の外端縁２０ｅｓが、外側の第１太陽光パネル１０の外端縁１０ｅｓの位置から位置決め用基準面３に沿う方向の内方に距離Ｄ１２’以上離れた位置に連結されていれば、日中に傾き角度θ１がθｓに設定された際の第１太陽光パネル１０の影が、その内方に隣り合う第２太陽光パネル２０の受光面２０ａにかかることを、冬期の全ての南中時に亘って回避可能となる。また、上述のように距離Ｄ１２’以上離間していれば、必然的に長さＬ１以上離間していることになるので、図１５の遮光状態の際に側方方向に隣り合う第１太陽光パネル１０と第２太陽光パネル２０とが干渉し合うことも確実に防止される。
【０１１３】
次に、図２１Ｂを参照しつつ距離Ｄ２１’について説明すると、第１太陽光パネル１０は夏期に有効に発電すべきである。また、この夏期の南中時において第２太陽光パネル２０の影が最長になるのは、春分の日或いは秋分の日である。そして、この最長の長さは、前述の式４中の「θｓ」をθｗに置き換えるとともに、同式４中の「Ｌ１」をＬ２に置き換えれば得ることができ、当該最長の長さが距離Ｄ２１’に相当するので、当該距離Ｄ２１’は下式６で表される。  
Ｄ２１’＝Ｌ２×ｃｏｓ（α−θｗ）
＋Ｌ２×ｔａｎ（α−θｍ）×ｓｉｎ（α−θｗ）    …  （６）
【０１１４】
よって、内側の第１太陽光パネル１０の外端縁１０ｅｓが、外側の第２太陽光パネル２０の外端縁２０ｅｓの位置から位置決め用基準面３に沿う方向の内方に距離Ｄ２１’以上離れた位置に連結されていれば、日中に傾き角度θ２がθｗに設定された際の第２太陽光パネル２０の影が、その内方に隣り合う第１太陽光パネル１０の受光面１０ａにかかることを、夏期の全ての南中時に亘って回避可能となる。また、上述のように距離Ｄ２１’以上離間していれば、必然的に長さＬ２以上離間していることになるので、図１５の遮光状態の際に側方方向に隣り合う第２太陽光パネル２０と第１太陽光パネル１０とが干渉し合うことも確実に防止される。
【０１１５】
このような第３態様に係る位置決め用基準面３、つまり略水平面部６の具体例としては、建物の水平な屋根面や緩勾配で傾斜した屋根面などが挙げられる。但し、第１態様及び第２態様で述べたのと同様に、位置決め用基準面３は、現実に第１及び第２太陽光パネル１０，２０を取り付け可能な取り付け対象面３ａで無くても良く、つまり現実には存在しない仮想面であっても良い。例えば、全面ガラス張りの建物の如く、屋根部の代用としてガラス板（ガラス部）９が使用されている場合には、図２２に示す当該ガラス板９よりも屋内側の位置に第１太陽光パネル１０，１０…及び第２太陽光パネル２０，２０…を配置することが想定される。そして、かかる場合には、これら太陽光パネル１０，２０は屋内の柱や梁８ｂに設けられた適宜なステイ部材（不図示）に支持されることも有り得て、そうすると、取り付け対象面３ａたる位置決め用基準面３に相当する構成が存在しなくても良いことになるが、その場合には、位置決め用基準面３を仮想面と考えれば良い。
【０１１６】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得ると共に、本発明にはその等価物が含まれるのはいうまでもない。例えば、以下に示すような変形が可能である。
【０１１７】
上述の実施形態では、第１太陽光パネル１０，１０同士の間の位置に第２太陽光パネルが配置されているか、或いは、第２太陽光パネル２０，２０同士の間の位置に第１太陽光パネル１０が配置されていたが、何等これに限るものではなく、第２太陽光パネル２０は、第１太陽光パネル１０，１０同士の間の位置に配置されていなくても良いし、第１太陽光パネル１０も、第２太陽光パネル２０，２０同士の間の位置に配置されていなくても良い。例えば、複数の第１太陽光パネル１０，１０…が所定ピッチで並んでなる第１太陽光パネル群の隣に、複数の第２太陽光パネル２０，２０…が所定ピッチで並んでなる第２太陽光パネル群が配置されていても良い。
【０１１８】
上述の実施形態では、日の出時間帯及び日の入り時間帯には、第１太陽光パネル１０の傾き角度θ１をαに設定し、南中時間帯には、同傾き角度θ１をθｓに設定しており、つまり、傾き角度θ１を、αとθｓとの間の全域に亘って変更していたが、何等これに限るものではない。例えば、上記よりも狭い角度範囲で変更しても良い。同様に、上述の実施形態では、日の出時間帯及び日の入り時間帯には、第２太陽光パネル２０の傾き角度θ２をαに設定し、南中時間帯には、同傾き角度θ２をθｗに設定しており、つまり、傾き角度θ２を、αとθｗとの間の全域に亘って変更していたが、何等これに限るものではなく、例えば、上記よりも狭い角度範囲で変更しても良い。但し、このような場合にあっても、南中時間帯には、θ２よりもθ１の方が大きな角度値に設定され、また、日の出時間帯及び日の入り時間帯のθ１は、南中時間帯に設定されるθ１よりもαに近い角度値に設定され、更に、日の出時間帯及び日の入り時間帯のθ２は、南中時間帯に設定されるθ２よりもαに近い角度値に設定されるようになっている。そして、このようにした場合も、前述したような効果、つまり、年間を通しての高いエネルギー変換効率の維持する効果と、建物内への朝日や夕日の遮光効果と、日中の採光状態の変化の抑制効果とを得ることができる。
【０１１９】
上述の実施形態では、構築物の屋内（内方）に外光を取り入れる採光部の一例として、窓部のガラス部９を示したが、何等これに限るものではない。すなわち、ガラス部９の無い単なる開口部であっても良く、その場合には、当該開口部の開口面が、採光面となる。
【０１２０】
上述の実施形態の第１態様では、傾き角度αがθｓ−９０°＜α＜θｗの範囲の位置決め用基準面３に第１、第２太陽光パネル１０，２０を取り付けた場合の一例として、図１Ａの如き構成、つまり第１太陽光パネル１０の上端縁１０ｅｕ及び第２太陽光パネル２０の上端縁２０ｅｕをそれぞれ位置決め用基準面３に連結した構成を示していたが、何等これに限るものではない。例えば、図１０で既述の断面Ｖ字状のパネル対Ｇ１２の如き構成を、第１態様に係る傾き角度αの範囲（θｓ−９０°＜α＜θｗ）の位置決め用基準面３に取り付けても良い。詳しくは、図２３の概略側面図に示すように、第１太陽光パネル１０の上端縁１０ｅｕを、ヒンジ部材等の軸支部材１２を介して回転可能に位置決め用基準面３に連結するとともに、同第１太陽光パネル１０の下端縁１０ｅｕを、ヒンジ部材３１を介して第２太陽光パネル２０の上端縁２０ｅｕに回転可能に連結し、これにより、パネル対Ｇ１２の下端縁２０ｅｄたる第２太陽光パネルの下端縁２０ｅｄが位置決め用基準面３から離間可能にパネル対Ｇ１２を形成しても良い。そして、かかる構成の場合には、パネル対Ｇ１２を駆動すべく、更に、第１太陽光パネル１０を軸支部材１２周りに回動する電動モータ等の駆動源（不図示）と、第２太陽光パネル２０をヒンジ部材３１周りに回動する電動モータ等の駆動源（不図示）と、これら駆動源を制御するコンピュータ等の制御部（不図示）とが設けられ、これにより、第１太陽光パネル１０は、α≦θ１≦θｓの角度範囲で回動可能とされ、また第２太陽光パネル２０は、α≦θ２≦θｗの角度範囲で回動可能とされる。ちなみに、傾き角度θ１及び傾き角度θ２の両者がαに設定された場合には、パネル対Ｇ１２の第１太陽光パネル１０及び第２太陽光パネル２０は、どちらも位置決め用基準面３に沿った状態、つまりガラス部９のガラス面９ａと平行な状態となってガラス部９は遮光状態にされる。他方、図２３のように、傾き角度θ１及び傾き角度θ２が、それぞれθｓ及びθｗに設定された場合には、採光状態となり、かかる採光状態にあっては、夏期に第１太陽光パネル１０が高いエネルギー変換効率で発電し、冬期には第２太陽光パネル２０が高いエネルギー変換効率で発電する。
【０１２１】
上述の実施形態の第３態様では、傾き角度αがθｓ＜α＜θｗ＋９０°の範囲の位置決め用基準面３に第１及び第２太陽光パネル１０，２０を取り付けた場合の一例として、図１４の如き構成、つまり第２太陽光パネル２０の外端縁２０ｅｓ及び第１太陽光パネル１０の外端縁１０ｅｓをそれぞれ位置決め用基準面３に連結した構成を示していたが、何等これに限るものではない。例えば、図１０で既述の断面Ｖ字状のパネル対Ｇ１２の如き構成を、図２４の概略側面図に示すように、第３態様に係る傾き角度αの範囲（θｓ＜α＜θｗ＋９０°）の位置決め用基準面３に取り付けても良い。詳しくは、図２４の概略側面図に示すように、第２太陽光パネル１０の外端縁２０ｅｓを、ヒンジ部材等の軸支部材１３を介して回転可能に位置決め用基準面３に連結するとともに、同第２太陽光パネル２０の内端縁２０ｅｎを、ヒンジ部材３２を介して第１太陽光パネル１０の外端縁１０ｅｓに回転可能に連結し、これにより、パネル対Ｇ１２の内端縁１０ｅｎたる第１太陽光パネルの内端縁１０ｅｎが、位置決め用基準面３から離間可能にパネル対Ｇ１２を形成しても良い。そして、かかる構成の場合には、パネル対Ｇ１２を駆動すべく、更に、第２太陽光パネル２０を軸支部材１３周りに回動する電動モータ等の駆動源（不図示）と、第１太陽光パネル１０をヒンジ部材３２周りに回動する電動モータ等の駆動源（不図示）と、これら駆動源を制御するコンピュータ等の制御部（不図示）とが設けられ、これにより、第２太陽光パネル１０は、θｗ≦θ２≦αの角度範囲で回動可能とされ、また第１太陽光パネル１０は、θｓ≦θ１≦αの角度範囲で回動可能とされる。
【０１２２】
上述の実施形態の第２態様では、傾き角度αがθｗ＜α＜θｓの範囲の位置決め用基準面３に第１及び第２太陽光パネル１０，２０を取り付けた場合の一例として、図１０のようなパネル対Ｇ１２を示し、パネル対Ｇ１２の両端縁１０ｅｕ，２０ｅｄをそれぞれ位置決め用基準面３に連結し、支持安定性の向上を図っていたが、何等これに限るものではない。
【０１２３】
例えば、図２５及び図２６に示すように、パネル対Ｇ１２の両端縁１０ｅｕ，２０ｅｄのうちの何れか一方の端縁１０ｅｕ（２０ｅｄ）のみを、ヒンジ部材等の軸支部材１２（１３）を介して位置決め用基準面３に連結し、他方の端縁２０ｅｄ（１０ｅｕ）を位置決め用基準面３から離間可能に構成しても良い。図２５の例では、上端縁１０ｅｕを連結して下端縁２０ｅｄを離間可能としており、図２６の例では、逆に下端縁２０ｅｄを連結して上端縁１０ｅｕを離間可能としている。そして、このようにすれば、支持安定性は悪くなるが、意匠的に面白いものとなる。なお、言うまでもないが、これら図２５及び図２６の何れの場合も、第１太陽光パネル１０の下端縁１０ｅｄと第２太陽光パネル２０の上端縁２０ｅｕとは、ヒンジ部材１４を介して相対回転可能に連結されている。そして、かかる構成の場合には、パネル対Ｇ１２を駆動すべく、更に、第１太陽光パネル１０を回動する電動モータ等の駆動源（不図示）と、第２太陽光パネル２０を回動する電動モータ等の駆動源（不図示）と、これら駆動源を制御するコンピュータ等の制御部（不図示）とが設けられ、これにより、第１太陽光パネル１０は、α≦θ１≦θｓの角度範囲で回動可能とされ、また第２太陽光パネル２０は、θｗ≦θ２≦αの角度範囲で回動可能とされる。
【０１２４】
更に、上述の実施形態の第２態様では、図１０に示すように第１太陽光パネル１０の下端縁１０ｅｄと第２太陽光パネル１０の上端縁２０ｅｕとが連結されてパネル対Ｇ１２をなしていたが、何等これに限るものではなく、連結されていなくても良い。すなわち、図２７の概略側面図の例では、第１太陽光パネル１０の下端縁１０ｅｄと第２太陽光パネル２０の上端縁２０ｅｕとが連結されておらず、互いの間に距離を隔てて設けられているが、このようにしても良い。但し、この非連結構成においても、前述のパネル対Ｇ１２の場合と同様に、第１太陽光パネル１０と第２太陽光パネル２０とを位置決め用基準面３に沿う方向の上下に交互に並べて配置することは可能であり（図２７を参照）、当該構成によれば、上下に隣り合う第１太陽光パネル１０と第２太陽光パネル２０との両者で一組のパネル組Ｇ１２’と考えた場合に、当該パネル組Ｇ１２’は、図２７に示すように断面ハ字形状を呈し、意匠的に面白いものとなる。
【０１２５】
なお、この図２７の例では、第１太陽光パネル１０の上端縁１０ｅｕがヒンジ部材等の軸支部材１２を介して回転可能に位置決め用基準面３に連結され、また、第２太陽光パネル２０の下端縁２０ｅｄがヒンジ部材等の軸支部材１３を介して回転可能に位置決め用基準面３に連結されている。そして、かかる構成の場合には、パネル組Ｇ１２’を駆動すべく、更に、第１太陽光パネル１０を軸支部材１２周りに回動する電動モータ等の駆動源（不図示）と、第２太陽光パネル２０を軸支部材１３周りに回動する電動モータ等の駆動源（不図示）と、これら駆動源を制御するコンピュータ等の制御部（不図示）とが設けられ、これにより、第１太陽光パネル１０は、α≦θ１≦θｓの角度範囲で回動可能とされ、また第２太陽光パネル２０は、θｗ≦θ２≦αの角度範囲で回動可能とされる。
【符号の説明】
【０１２６】
３  位置決め用基準面、３ａ  取り付け対象面、
４  略鉛直面部、５  略斜面部、６  略水平面部、
８ａ  柱、８ｂ  梁、９  ガラス板（ガラス部、採光部）、９ａ  ガラス面（採光面）、
１０  第１太陽光パネル（第１太陽光部材）、１０ａ  受光面、
１０ｅｕ  上端縁、１０ｅｄ  下端縁、１０ｅｓ  外端縁、１０ｅｎ  内端縁、
１０ｓ  内方部分、
１２  軸支部材、１３  軸支部材、
１４  第１ヒンジ部材（第１連結部）、
１５ａ  スライダー（第２連結部）、１５ｂ  第２ヒンジ部材（第２連結部）、
１６  第３ヒンジ部材（第３連結部）、
１８  軸支部材、
２０  第２太陽光パネル（第２太陽光部材）、２０ａ  受光面、
２０ｅｕ  上端縁、２０ｅｄ  下端縁、２０ｅｓ  外端縁、２０ｅｎ  内端縁、
２０ｄ  下部、
２２  軸支部材、２８  軸支部材、
３１  ヒンジ部材、３２  ヒンジ部材、
Ｇ１２  パネル対（太陽光部材対）、
Ｇ１２’  パネル組、
Ａｓ  鉛直面、
【図９】
0006003076.tif 000002
【図１３】
0006003076.tif 000003
【図２２】
0006003076.tif 000004
【図１Ａ】
0006003076.tif 000005
【図１Ｂ】
0006003076.tif 000006
【図２】
0006003076.tif 000007
【図３】
0006003076.tif 000008
【図４】
0006003076.tif 000009
【図５】
0006003076.tif 000010
【図６】
0006003076.tif 000011
【図７】
0006003076.tif 000012
【図８】
0006003076.tif 000013
【図１０】
0006003076.tif 000014
【図１１】
0006003076.tif 000015
【図１２】
0006003076.tif 000016
【図１４】
0006003076.tif 000017
【図１５】
0006003076.tif 000018
【図１６】
0006003076.tif 000019
【図１７】
0006003076.tif 000020
【図１８】
0006003076.tif 000021
【図１９】
0006003076.tif 000022
【図２０】
0006003076.tif 000023
【図２１】
0006003076.tif 000024
【図２３】
0006003076.tif 000025
【図２４】
0006003076.tif 000026
【図２５】
0006003076.tif 000027
【図２６】
0006003076.tif 000028
【図２７】
0006003076.tif 000029